(57)【特許請求の範囲】
【請求項１】
ＴＤＤ（Ｔｉｍｅ  Ｄｉｖｉｓｉｏｎ  Ｄｕｐｌｅｘ）通信システムにおいてユーザ装置（ＵＥ）が基地局にサウンディング参照信号（Ｓｏｕｎｄｉｎｇ  Ｒｅｆｅｒｅｎｃｅ  Ｓｉｇｎａｌ；ＳＲＳ）を送信する方法であって、
第１サブフレームセット及び第２サブフレームセットに関する無線リソース制御（ＲＲＣ）シグナリングを受信するステップと、
前記サウンディング参照信号を前記基地局にサブフレームｉで送信するステップと、
を有し、
前記サブフレームｉで送信する前記サウンディング参照信号の送信電力は、前記第１サブフレームセットに対するｆＣ（ｉ）及び前記第２サブフレームセットに対するｆＣ（０）（ｉ）に基づいて決定され、
前記ｆＣ（ｉ）は、前記サブフレームｉが前記第１サブフレームセットに属する場合、前記サブフレームｉの中のサービングセルｃに対する現在の物理上りリンク共有チャネル（ＰＵＳＣＨ）電力制御調整ステートであり、
前記ｆＣ（０）（ｉ）は、前記サブフレームｉが前記第２サブフレームセットに属する場合、前記サブフレームｉの中のサービングセルｃに対する現在のＰＵＳＣＨ電力制御調整ステートであり、
前記ｆＣ（０）（ｉ）が、前記第２サブフレームに属する前のサブフレームの値から別々に蓄積される間、前記ｆＣ（ｉ）は、前記第１サブフレームセットに属する前のサブフレームの値から別々に蓄積される、サウンディング参照信号送信方法。
【請求項２】
前記第２サブフレームセットに含まれる上りリンクサブフレームは、前記基地局の指示によって下りリンクサブフレームに変更可能なサブフレームである、請求項１に記載のサウンディング参照信号送信方法。
【請求項３】
前記第１サブフレームセットと前記第２サブフレームセットは上りリンクサブフレームと特別サブフレームの少なくとも一つを含み、
前記特別サブフレームは、上りリンク送信のための領域を含み、
前記上りリンク送信のための領域では前記サウンディング参照信号のみが送信される、請求項１に記載のサウンディング参照信号送信方法。
【請求項４】
第１特別サブフレームで送信される前記サウンディング参照信号の送信電力と第２特別サブフレームで送信される前記サウンディング参照信号の送信電力とは独立して決定される、請求項１に記載のサウンディング参照信号送信方法。
【請求項５】
ＴＤＤ（Ｔｉｍｅ  Ｄｉｖｉｓｉｏｎ  Ｄｕｐｌｅｘ）通信システムにおいて基地局がユーザ装置（ＵＥ）からサウンディング参照信号（Ｓｏｕｎｄｉｎｇ  Ｒｅｆｅｒｅｎｃｅ  Ｓｉｇｎａｌ；ＳＲＳ）を受信する方法であって、
無線リソース制御（ＲＲＣ）シグナリングを介して、第１サブフレームセット及び第２サブフレームセットを設定するステップと、
前記ＲＲＣシグナリングを前記ＵＥへ送信するステップと、
サブフレームｉで前記サウンディング参照信号を前記端末から受信するステップと、
を有し、
前記サブフレームｉで受信した前記サウンディング参照信号の送信電力は、前記第１サブフレームセットに対するｆＣ（ｉ）及び前記第２サブフレームセットに対するｆＣ（０）（ｉ）に基づいて決定され、
前記ｆＣ（ｉ）は、前記サブフレームｉが前記第１サブフレームセットに属する場合、前記サブフレームｉの中のサービングセルｃに対する現在の物理上りリンク共有チャネル（ＰＵＳＣＨ）電力制御調整ステートであり、
前記ｆＣ（０）（ｉ）は、前記サブフレームｉが前記第２サブフレームセットに属する場合、前記サブフレームｉの中のサービングセルｃに対する現在のＰＵＳＣＨ電力制御調整ステートであり、
前記ｆＣ（０）（ｉ）が、前記第２サブフレームに属する前のサブフレームの値から別々に蓄積される間、前記ｆＣ（ｉ）は、前記第１サブフレームセットに属する前のサブフレームの値から別々に蓄積される、サウンディング参照信号受信方法。
【請求項６】
前記第２サブフレームセットに含まれる上りリンクサブフレームは、前記基地局の指示によって下りリンクサブフレームに変更可能なサブフレームである、請求項５に記載のサウンディング参照信号受信方法。
【請求項７】
前記第１サブフレームセットと前記第２サブフレームセットは上りリンクサブフレームと特別サブフレームの少なくとも一つを含み、
前記特別サブフレームは、上りリンク送信のための領域を含み、
前記上りリンク送信のための領域では前記サウンディング参照信号のみが送信される、請求項５に記載のサウンディング参照信号受信方法。
【請求項８】
第１特別サブフレームで送信される前記サウンディング参照信号の送信電力と第２特別サブフレームで送信される前記サウンディング参照信号の送信電力とは独立して決定される、請求項５に記載のサウンディング参照信号受信方法。
【請求項９】
ＴＤＤ（Ｔｉｍｅ  Ｄｉｖｉｓｉｏｎ  Ｄｕｐｌｅｘ）通信システムにおいて基地局にサウンディング参照信号（Ｓｏｕｎｄｉｎｇ  Ｒｅｆｅｒｅｎｃｅ  Ｓｉｇｎａｌ；ＳＲＳ）を送信するユーザ装置（ＵＥ）であって、
第１サブフレームセット及び第２サブフレームセットに関する無線リソース制御（ＲＲＣ）シグナリングを受信し、前記サウンディング参照信号を前記基地局にサブフレームｉで送信するＲＦモジュールと、
前記ＲＦモジュールと結合し、前記第１サブフレームセットに対するｆＣ（ｉ）及び前記第２サブフレームセットに対するｆＣ（０）（ｉ）に基づいて、前記サブフレームｉで送信された前記サウンディング参照信号の送信電力を決定するプロセッサと、
を有し、
前記ｆＣ（ｉ）は、前記サブフレームｉが前記第１サブフレームセットに属する場合、前記サブフレームｉの中のサービングセルｃに対する現在の物理上りリンク共有チャネル（ＰＵＳＣＨ）電力制御調整ステートであり、
前記ｆＣ（０）（ｉ）は、前記サブフレームｉが前記第２サブフレームセットに属する場合、前記サブフレームｉの中のサービングセルｃに対する現在のＰＵＳＣＨ電力制御調整ステートであり、
前記ｆＣ（０）（ｉ）が、前記第２サブフレームに属する前のサブフレームの値から別々に蓄積される間、前記ｆＣ（ｉ）は、前記第１サブフレームセットに属する前のサブフレームの値から別々に蓄積される、ユーザ装置（ＵＥ）。
【請求項１０】
ＴＤＤ（Ｔｉｍｅ  Ｄｉｖｉｓｉｏｎ  Ｄｕｐｌｅｘ）通信システムにおいてユーザ装置（ＵＥ）からサウンディング参照信号（Ｓｏｕｎｄｉｎｇ  Ｒｅｆｅｒｅｎｃｅ  Ｓｉｇｎａｌ；ＳＲＳ）を受信する基地局であって、
第１サブフレームセット及び第２サブフレームセットを無線リソース制御（ＲＲＣ）シグナリングを介して構成するプロセッサと、
前記ＲＲＣシグナリングを送信し、サブフレームｉで前記ＵＥから前記サウンディング参照信号を受信するＲＦモジュールとを有し、
前記サブフレームｉで受信される前記サウンディング参照信号の送信電力は、前記第１サブフレームセットに対するｆＣ（ｉ）及び前記第２サブフレームセットに対するｆＣ（０）（ｉ）に基づいて決定され、
前記ｆＣ（ｉ）は、前記サブフレームｉが前記第１サブフレームセットに属する場合、前記サブフレームｉの中のサービングセルｃに対する現在の物理上りリンク共有チャネル（ＰＵＳＣＨ）電力制御調整ステートであり、
前記ｆＣ（０）（ｉ）は、前記サブフレームｉが前記第２サブフレームセットに属する場合、前記サブフレームｉの中のサービングセルｃに対する現在のＰＵＳＣＨ電力制御調整ステートであり、
前記ｆＣ（０）（ｉ）が、前記第２サブフレームに属する前のサブフレームの値から別々に蓄積される間、前記ｆＣ（ｉ）は、前記第１サブフレームセットに属する前のサブフレームの値から別々に蓄積される、基地局。
【発明の詳細な説明】
【技術分野】
【０００１】
本発明は、無線通信システムに関し、特に、無線通信システムにおいてサウンディング参照信号の送信電力を制御する方法及びそのための装置に関する。
【背景技術】
【０００２】
本発明を適用できる無線通信システムの一例として、３ＧＰＰ ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ ７及びＲｅｌｅａｓｅ ８を参照することができる。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅＢ；ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ；ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．４４、３、５、１０、１５、２０ＭＨｚなどの帯域幅のいずれか一つに設定され、複数の端末に下り又は上り送信サービスを提供する。異なったセルは、互いに異なった帯域幅を提供するように設定できる。基地局は、複数の端末に関するデータ送受信を制御する。下りリンク（Ｄｏｗｎｌｉｎｋ；ＤＬ）データについて、基地局は下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データについて、基地局は上りリンクスケジューリング情報を該当の端末に送信し、該当の端末が使用可能な時間／周波数領域、符号化、データサイズ、ＨＡＲＱ関連情報などを知らせる。基地局間には、ユーザトラフィック又は制御トラフィックの送信のためのインターフェースを用いることができる。コアネットワーク（Ｃｏｒｅ  Ｎｅｔｗｏｒｋ；ＣＮ）は、ＡＧ、及び端末のユーザ登録などのためのネットワークノードなどで構成可能である。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡに基づいてＬＴＥにまで開発されてきたが、ユーザと事業者の要求と期待は増す一方である。その上、他の無線接続技術の開発が続いており、将来、競争力を持つためには新しい技術進化が要求される。ビット当たりのコストの削減、サービス可用性の増大、柔軟な周波数バンドの使用、単純構造と開放型インターフェース、端末の適度な電力消耗などが要求される。
【発明の概要】
【発明が解決しようとする課題】
【０００７】
上述したような議論に基づき、以下では、無線通信システムにおいてサウンディング参照信号の送信電力を制御する方法及びそのための装置を提案する。
【課題を解決するための手段】
【０００８】
本発明の一実施例である、ＴＤＤ（Ｔｉｍｅ  Ｄｉｖｉｓｉｏｎ  Ｄｕｐｌｅｘ）システムにおいて端末が基地局にサウンディング参照信号（Ｓｏｕｎｄｉｎｇ  Ｒｅｆｅｒｅｎｃｅ  Ｓｉｇｎａｌ；ＳＲＳ）を送信する方法は、上位層を介して、第１サブフレームセット及び第２サブフレームセットを設定するステップと、前記サウンディング参照信号を前記基地局に特定サブフレームで送信するステップとを有し、前記第１サブフレームセット及び前記第２サブフレームセットは、上りリンクサブフレームと特別サブフレームの少なくとも一つで構成され、前記第１サブフレームセット及び前記第２サブフレームセットのそれぞれは、上りリンクデータチャネル送信のための電力制御プロセスと連動し、前記サウンディング参照信号の送信電力は、前記第１サブフレームセット及び前記第２サブフレームセットのうち、前記特定サブフレームの属したサブフレームセットと関連した所定の電力制御プロセスに基づいて決定されることを特徴とする。
【０００９】
一方、本発明の他の実施例である、ＴＤＤシステムにおいて基地局が端末からサウンディング参照信号を受信する方法は、上位層を介して、第１サブフレームセット及び第２サブフレームセットを設定するステップと、特定サブフレームで前記サウンディング参照信号を前記端末から受信するステップとを有し、前記第１サブフレームセット及び前記第２サブフレームセットは、上りリンクサブフレームと特別サブフレームの少なくとも一つで構成され、前記第１サブフレームセット及び前記第２サブフレームセットのそれぞれは、上りリンクデータチャネル送信のための電力制御プロセスと連動し、前記サウンディング参照信号の送信電力は、前記第１サブフレームセット及び前記第２サブフレームセットのうち、前記特定サブフレームの属したサブフレームセットと関連した所定の電力制御プロセスに基づいて決定されることを特徴とする。
【００１０】
以上の実施例において、前記サウンディング参照信号の送信電力は、前記所定の電力制御プロセスで定義する一つ以上のパラメータによって決定されることを特徴とする。
【００１１】
好ましくは、前記第１サブフレームセットは、上りリンクサブフレームとして固定されたサブフレーム及び前記特別サブフレームのみを含むことを特徴とする。一方、前記第２サブフレームセットに含まれる上りリンクサブフレームは、前記基地局の指示によって下りリンクサブフレームに変更可能なサブフレームであることを特徴とする。
【００１２】
より好適には、前記特別サブフレームは、上りリンク送信のための領域を含み、前記上りリンク送信のための領域では前記サウンディング参照信号のみが送信されることを特徴とする。
【００１３】
さらに、第１特別サブフレームで送信されるサウンディング参照信号の送信電力と第２特別サブフレームで送信されるサウンディング参照信号の送信電力とが独立して決定されることを特徴とする。
【発明の効果】
【００１４】
本発明の実施例によれば、無線通信システムにおいて端末がサウンディング参照信号の送信電力を効率的に制御することができる。
【００１５】
本発明で得られる効果は、以上に言及した効果に制限されず、言及していない別の効果は、下の記載から、本発明の属する技術の分野における通常の知識を有する者には明確に理解されるであろう。
【図面の簡単な説明】
【００１６】
【図１】無線通信システムの一例としてＥ−ＵＭＴＳネットワーク構造を概略的に示す図である。
【図２】３ＧＰＰ無線接続ネットワーク規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）構造を示す図である。
【図３】３ＧＰＰシステムに用いられる物理チャネル及びこれらのチャネルを用いた一般的な信号送信方法を説明するための図である。
【図４】ＬＴＥシステムで用いられる下りリンク無線フレームの構造を例示する図である。
【図５】ＬＴＥシステムで用いられる上りリンクサブフレームの構造を示す図である。
【図６】ＬＴＥ ＴＤＤシステムで無線フレームの構造を例示する図である。
【図７】搬送波集成（ｃａｒｒｉｅｒ  ａｇｇｒｅｇａｔｉｏｎ）技法を説明するための概念図である。
【図８】一つの無線フレームをサブフレームセット＃１とサブフレームセット＃２とに区分した例を示す図である。
【図９】ＰＵＳＣＨがマップされるシンボルの個数を決定する方法を説明する図である。
【図１０】本発明の一実施例に係る通信装置のブロック構成図である。
【発明を実施するための形態】
【００１７】
以下に添付の図面を参照して説明された本発明の実施例から、本発明の構成、作用及び他の特徴が容易に理解されるであろう。以下に説明される実施例は、本発明の技術的特徴が３ＧＰＰシステムに適用された例である。
【００１８】
本明細書ではＬＴＥシステム及びＬＴＥ-Ａシステムを用いて本発明の実施例を説明するが、これは例示に過ぎず、本発明の実施例は、上述した定義に該当するいかなる通信システムにも適用可能である。また、本明細書で、基地局の名称は、ＲＲＨ（ｒｅｍｏｔｅ  ｒａｄｉｏ  ｈｅａｄ）、送信ポイント（ｔｒａｎｓｍｉｓｓｉｏｎ  ｐｏｉｎｔ；ＴＰ）、受信ポイント（ｒｅｃｅｐｔｉｏｎ  ｐｏｉｎｔ；ＲＰ）、ｅＮＢ、中継機（ｒｅｌａｙ）などを含む包括的な用語として使われる。
【００１９】
図２は、３ＧＰＰ無線接続網規格に基づく端末とＥ-ＵＴＲＡＮとの間の無線インターフェースプロトコル（Ｒａｄｉｏ  Ｉｎｔｅｒｆａｃｅ  Ｐｒｏｔｏｃｏｌ）のコントロールプレーン及びユーザプレーンの構造を示す図である。コントロールプレーンとは、端末（ＵＥ）とネットワークとが呼を管理するために用いる制御メッセージが送信される通路のことを意味する。ユーザプレーンとは、アプリケーション層で生成されたデータ、例えば、音声データ又はインターネットパケットデータなどが送信される通路のことを意味する。
【００２０】
第１層である物理層は、物理チャネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は、上位の媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続されている。該伝送チャネルを介して媒体接続制御層と物理層との間にデータが移動する。送信側の物理層と受信側の物理層との間には物理チャネルを介してデータが移動する。該物理チャネルは、時間及び周波数を無線リソースとして活用する。具体的に、物理チャネルは、下りリンクにおいてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクにおいてＳＣ-ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２１】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して、上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼できるデータ送信を支援する。ＲＬＣ層の機能は、ＭＡＣ内部の機能ブロックとして具現してもよい。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを效率的に送信するために、余分の制御情報を減らすヘッダー圧縮（Ｈｅａｄｅｒ  Ｃｏｍｐｒｅｓｓｉｏｎ）機能を持つ。
【００２２】
第３層の最下部に位置する無線リソース制御（Ｒａｄｉｏ  Ｒｅｓｏｕｒｃｅ  Ｃｏｎｔｒｏｌ；ＲＲＣ）層は、コントロールプレーンにのみ定義される。ＲＲＣ層は、無線ベアラー（Ｒａｄｉｏ  Ｂｅａｒｅｒ）の設定（Ｃｏｎｆｉｇｕｒａｔｉｏｎ）、再設定（Ｒｅ-ｃｏｎｆｉｇｕｒａｔｉｏｎ）及び解除（Ｒｅｌｅａｓｅ）に関して、論理チャネル、伝送チャネル及び物理チャネルの制御を担当する。無線ベアラー（ＲＢ）とは、端末とネットワーク間のデータ伝達のために第２層によって提供されるサービスのことを意味する。そのために、端末のＲＲＣ層とネットワークのＲＲＣ層とはＲＲＣメッセージを互いに交換する。端末のＲＲＣ層とネットワークのＲＲＣ層間にＲＲＣ接続（ＲＲＣ  Ｃｏｎｎｅｃｔｅｄ）がある場合に、端末はＲＲＣ接続状態（Ｃｏｎｎｅｃｔｅｄ  Ｍｏｄｅ）にあり、そうでない場合は、ＲＲＣ休止状態（Ｉｄｌｅ  Ｍｏｄｅ）にある。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を持つ。
【００２３】
基地局（ｅＮＢ）を構成する一つのセルは、１．４、３、５、１０、１５、２０ＭＨｚなどの帯域幅のうちの一つに設定され、複数の端末に下り又は上り送信サービスを提供する。異なったセルは互いに異なった帯域幅を提供するように設定できる。
【００２４】
ネットワークから端末にデータを送信する下り伝送チャネルとしては、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージは、下りＳＣＨを介して送信されてもよく、別の下りＭＣＨ（Ｍｕｌｔｉｃａｓｔ  Ｃｈａｎｎｅｌ）を通じて送信されてもよい。一方、端末からネットワークにデータを送信する上り伝送チャネルとしては、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。伝送チャネルの上位に存在し、伝送チャネルにマッピングされる論理チャネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００２５】
図３は、３ＧＰＰシステムに用いられる物理チャネル及びこれらのチャネルを用いた一般の信号送信方法を説明するための図である。
【００２６】
端末は、電源がついたり、新しくセルに進入したりした場合に、基地局と同期を取る等の初期セル探索（Ｉｎｉｔｉａｌ  ｃｅｌｌ  ｓｅａｒｃｈ）作業を行う（Ｓ３０１）。そのために、端末は、基地局からプライマリ同期チャネル（Ｐｒｉｍａｒｙ  Ｓｙｎｃｈｒｏｎｉｚａｔｉｏｎ  Ｃｈａｎｎｅｌ；Ｐ-ＳＣＨ）及びセカンダリ同期チャネル（Ｓｅｃｏｎｄａｒｙ  Ｓｙｎｃｈｒｏｎｉｚａｔｉｏｎ  Ｃｈａｎｎｅｌ；Ｓ-ＳＣＨ）を受信して基地局と同期を取り、セルＩＤなどの情報を取得できる。その後、端末は、基地局から物理放送チャネル（Ｐｈｙｓｉｃａｌ  Ｂｒｏａｄｃａｓｔ  Ｃｈａｎｎｅｌ）を受信し、セル内放送情報を取得できる。一方、端末は、初期セル探索段階で、下りリンク参照信号（Ｄｏｗｎｌｉｎｋ  Ｒｅｆｅｒｅｎｃｅ  Ｓｉｇｎａｌ；ＤＬ ＲＳ）を受信し、下りリンクチャネル状態を確認できる。
【００２７】
初期セル探索を終えた端末は、物理下りリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、及び該ＰＤＣＣＨに乗せられた情報に基づいて物理下りリンク共有チャネル（Ｐｈｙｓｉｃａｌ  Ｄｏｗｎｌｉｎｋ  Ｃｏｎｔｒｏｌ  Ｃｈａｎｎｅｌ；ＰＤＳＣＨ）を受信することによって、より具体的なシステム情報を取得できる（Ｓ３０２）。
【００２８】
一方、基地局に最初に接続したり信号送信のための無線リソースがない場合には、端末は、基地局にランダムアクセス手順（Ｒａｎｄｏｍ  Ａｃｃｅｓｓ  Ｐｒｏｃｅｄｕｒｅ；ＲＡＣＨ）を行うことができる（Ｓ３０３乃至Ｓ３０６）。そのために、端末は、物理ランダムアクセスチャネル（Ｐｈｙｓｉｃａｌ  Ｒａｎｄｏｍ  Ａｃｃｅｓｓ  Ｃｈａｎｎｅｌ；ＰＲＡＣＨ）を介して特定シーケンスをプリアンブルとして送信し（Ｓ３０３及びＳ３０５）、ＰＤＣＣＨ及び対応するＰＤＳＣＨを介して、プリアンブルに対する応答メッセージを受信することができる（Ｓ３０４及びＳ３０６）。競合ベースのＲＡＣＨについては、衝突解決手順（Ｃｏｎｔｅｎｔｉｏｎ  Ｒｅｓｏｌｕｔｉｏｎ  Ｐｒｏｃｅｄｕｒｅ）をさらに行うことができる。
【００２９】
上述の手順を行った端末は、その後、一般的な上りリンク／下りリンク信号送信手順として、ＰＤＣＣＨ／ＰＤＳＣＨ受信（Ｓ３０７）、及び物理上りリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）送信（Ｓ３０８）を行うことができる。特に、端末は、ＰＤＣＣＨを介して下りリンク制御情報（Ｄｏｗｎｌｉｎｋ  Ｃｏｎｔｒｏｌ  Ｉｎｆｏｒｍａｔｉｏｎ；ＤＣＩ）を受信する。ここで、ＤＣＩは、端末に対するリソース割当情報のような制御情報を含み、その使用目的によってフォーマットが異なる。
【００３０】
一方、端末が上りリンクで基地局に送信する又は端末が基地局から受信する制御情報としては、下りリンク／上りリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＬＴＥシステムにおいて、端末は、これらのＣＱＩ／ＰＭＩ／ＲＩなどの制御情報をＰＵＳＣＨ及び／又はＰＵＣＣＨを介して送信することができる。
【００３１】
図４は、下りリンク無線フレームにおいて一つのサブフレームの制御領域に含まれる制御チャネルを例示する図である。
【００３２】
図４を参照すると、サブフレームは１４個のＯＦＤＭシンボルで構成されている。サブフレーム設定によって先頭の１乃至３個のＯＦＤＭシンボルは制御領域として用いられ、残り１３〜１１個のＯＦＤＭシンボルはデータ領域として用いられる。同図で、Ｒ１乃至Ｒ４は、アンテナ０乃至３に対する参照信号（Ｒｅｆｅｒｅｎｃｅ  Ｓｉｇｎａｌ（ＲＳ）又はＰｉｌｏｔ  Ｓｉｇｎａｌ）を表す。ＲＳは、制御領域及びデータ領域を問わず、サブフレーム内に一定のパターンで固定される。制御チャネルは、制御領域においてＲＳの割り当てられていないリソースに割り当てられ、トラフィックチャネルもデータ領域においてＲＳの割り当てられていないリソースに割り当てられる。制御領域に割り当てられる制御チャネルには、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  ＣＨａｎｎｅｌ）、ＰＤＣＣＨ（Ｐｈｙｓｉｃａｌ  Ｄｏｗｎｌｉｎｋ  Ｃｏｎｔｒｏｌ  ＣＨａｎｎｅｌ）などがある。
【００３３】
ＰＣＦＩＣＨは物理制御フォーマット指示子チャネルであり、毎サブフレームごとにＰＤＣＣＨに用いられるＯＦＤＭシンボルの個数を端末に知らせる。ＰＣＦＩＣＨは、最初のＯＦＤＭシンボルに位置し、ＰＨＩＣＨ及びＰＤＣＣＨに優先して設定される。ＰＣＦＩＣＨは４個のＲＥＧ（Ｒｅｓｏｕｒｃｅ  Ｅｌｅｍｅｎｔ  Ｇｒｏｕｐ）で構成され、それぞれのＲＥＧはセルＩＤ（Ｃｅｌｌ  ＩＤｅｎｔｉｔｙ）に基づいて制御領域内に分散される。一つのＲＥＧは４個のＲＥ（Ｒｅｓｏｕｒｃｅ  Ｅｌｅｍｅｎｔ）で構成される。ＲＥは、１副搬送波×１ ＯＦＤＭシンボルと定義される最小物理リソースを表す。ＰＣＦＩＣＨ値は、帯域幅によって１〜３又は２〜４の値を示し、ＱＰＳＫ（Ｑｕａｄｒａｔｕｒｅ  Ｐｈａｓｅ  Ｓｈｉｆｔ  Ｋｅｙｉｎｇ）で変調される。
【００３４】
ＰＨＩＣＨは、物理ＨＡＲＱ（Ｈｙｂｒｉｄ−Ａｕｔｏｍａｔｉｃ  Ｒｅｐｅａｔ  ａｎｄ  ｒｅｑｕｅｓｔ）指示子チャネルであり、上りリンク送信に対するＨＡＲＱ ＡＣＫ／ＮＡＣＫを運ぶために用いられる。すなわち、ＰＨＩＣＨは、上りリンクＨＡＲＱのためのＤＬ ＡＣＫ／ＮＡＣＫ情報が送信されるチャネルを表す。ＰＨＩＣＨは、１個のＲＥＧで構成され、セル特定（ｃｅｌｌ−ｓｐｅｃｉｆｉｃ）にスクランブル（ｓｃｒａｍｂｌｉｎｇ）される。ＡＣＫ／ＮＡＣＫは１ビットで示され、ＢＰＳＫ（Ｂｉｎａｒｙ  ｐｈａｓｅ  ｓｈｉｆｔ  ｋｅｙｉｎｇ）で変調される。変調されたＡＣＫ／ＮＡＣＫは拡散因子（Ｓｐｒｅａｄｉｎｇ  Ｆａｃｔｏｒ；ＳＦ）＝２又は４で拡散される。同一のリソースにマップされる複数のＰＨＩＣＨは、ＰＨＩＣＨグループを構成する。ＰＨＩＣＨグループに多重化されるＰＨＩＣＨの個数は、拡散コードの個数によって決定される。ＰＨＩＣＨ（グループ）は周波数領域及び／又は時間領域においてダイバーシティ利得を得るために３回反復（ｒｅｐｅｔｉｔｉｏｎ）される。
【００３５】
ＰＤＣＣＨは物理下りリンク制御チャネルであり、サブフレームにおける先頭のｎ個のＯＦＤＭシンボルに割り当てられる。ここで、ｎは１以上の整数であり、ＰＣＦＩＣＨによって示される。ＰＤＣＣＨは一つ以上のＣＣＥ（Ｃｏｎｔｒｏｌ  Ｃｈａｎｎｅｌ  Ｅｌｅｍｅｎｔ）で構成される。ＰＤＣＣＨは、伝送チャネルであるＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）のリソース割当に関する情報、上りリンクスケジューリンググラント（Ｕｐｌｉｎｋ  Ｓｃｈｅｄｕｌｉｎｇ  Ｇｒａｎｔ）、ＨＡＲＱ情報などを各端末又は端末グループに知らせる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）はＰＤＳＣＨを介して送信される。したがって、基地局と端末は、一般に、特定の制御情報又は特定のサービスデータ以外は、ＰＤＳＣＨを介してデータをそれぞれ送信及び受信する。
【００３６】
ＰＤＳＣＨのデータがいずれの端末（１つ又は複数の端末）に送信されるものか、これら端末がどのようにＰＤＳＣＨデータを受信してデコードしなければならないかに関する情報などは、ＰＤＣＣＨに含まれて送信される。例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣマスクされており、「Ｂ」という無線リソース（例、周波数位置）及び「Ｃ」という伝送形式情報（例、伝送ブロックサイズ、変調方式、コーディング情報など）を用いて送信されるデータに関する情報が、特定サブフレームで送信されると仮定する。この場合、セル内の端末は、自身が持っているＲＮＴＩ情報を用いてＰＤＣＣＨをモニタリングし、「Ａ」のＲＮＴＩを持っている一つ以上の端末があると、これらの端末はＰＤＣＣＨを受信し、受信したＰＤＣＣＨの情報に基づいて「Ｂ」と「Ｃ」によって指示されるＰＤＳＣＨを受信する。
【００３７】
図５は、ＬＴＥシステムで用いられる上りリンクサブフレームの構造を示す図である。
図５を参照すると、上りリンクサブフレームは、制御情報を運ぶＰＵＣＣＨ（Ｐｈｙｓｉｃａｌ  Ｕｐｌｉｎｋ  Ｃｏｎｔｒｏｌ  ＣＨａｎｎｅｌ）が割り当てられる領域と、ユーザデータを運ぶＰＵＳＣＨ（Ｐｈｙｓｉｃａｌ  Ｕｐｌｉｎｋ  Ｓｈａｒｅｄ  ＣＨａｎｎｅｌ）が割り当てられる領域とに区別される。周波数領域で中間部分がＰＵＳＣＨに割り当てられ、周波数領域でデータ領域の両側部分がＰＵＣＣＨに割り当てられる。ＰＵＣＣＨ上で送信される制御情報には、ＨＡＲＱに用いられるＡＣＫ／ＮＡＣＫ、下りリンクチャネル状態を示すＣＱＩ（Ｃｈａｎｎｅｌ  Ｑｕａｌｉｔｙ  Ｉｎｄｉｃａｔｏｒ）、ＭＩＭＯのためのＲＩ（Ｒａｎｋ  Ｉｎｄｉｃａｔｏｒ）、上りリンクリソース割当て要請であるＳＲ（Ｓｃｈｅｄｕｌｉｎｇ  Ｒｅｑｕｅｓｔ）などがある。一つの端末に対するＰＵＣＣＨは、サブフレームにおける各スロットで互いに異なる周波数を占める一つのリソースブロックを使用する。すなわち、ＰＵＣＣＨに割り当てられる２個のリソースブロックは、スロット境界で周波数ホッピング（ｆｒｅｑｕｅｎｃｙ  ｈｏｐｐｉｎｇ）する。特に、図５は、ｍ＝０のＰＵＣＣＨ、ｍ＝１のＰＵＣＣＨ，ｍ＝２のＰＵＣＣＨ、ｍ＝３のＰＵＣＣＨがサブフレームに割り当てられる場合を例示する。
【００３８】
また、一つのサブフレームにおいてサウンディング参照信号を送信し得る時間は、一つのサブフレームの時間軸上で最後のシンボルが位置する区間であり、周波数上ではデータ送信帯域を通してサウンディング参照信号が送信される。同一のサブフレームの最後のシンボルで送信される複数の端末のサウンディング参照信号は、周波数の位置によって区分することができる。
【００３９】
図６は、ＬＴＥ ＴＤＤシステムにおいて無線フレームの構造を示す図である。ＬＴＥ ＴＤＤシステムで、無線フレームは２個のハーフフレーム（ｈａｌｆ  ｆｒａｍｅ）で構成され、各ハーフフレームは、２個のスロットを含む４個の一般サブフレームと、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ、ＧＰ）及びＵｐＰＴＳ（Ｕｐｌｉｎｋ  Ｐｉｌｏｔ  Ｔｉｍｅ  Ｓｌｏｔ）を含む特別サブフレーム（ｓｐｅｃｉａｌ  ｓｕｂｆｒａｍｅ）とで構成される。
【００４０】
特別サブフレームにおいて、ＤｗＰＴＳは、端末での初期セル探索、同期化又はチャネル推定に用いられる。ＵｐＰＴＳは、基地局でのチャネル推定と端末の上りリンク送信同期の獲得に用いられる。すなわち、ＤｗＰＴＳは、下りリンク送信に、ＵｐＰＴＳは上りリンク送信に用いられ、特に、ＵｐＰＴＳは、ＰＲＡＣＨプリアンブルやＳＲＳ送信の用途に用いられる。また、保護区間は、上りリンクと下りリンク間に下りリンク信号の多重経路遅延によって上りリンクで生じる干渉を除去するための区間である。
【００４１】
一方、ＬＴＥ ＴＤＤシステムにおいて上りリンク／下りリンクサブフレーム設定（ＵＬ／ＤＬ  ｃｏｎｆｉｇｕｒａｔｉｏｎ）は、下記の表１のとおりである。
【００４２】
【表１】
0006640718.tif 000002
【００４３】
上記の表１で、Ｄは下りリンクサブフレーム、Ｕは上りリンクサブフレームを表し、Ｓは特別サブフレームを表す。また、上記の表１は、それぞれのシステムにおいて、上りリンク／下りリンクサブフレーム設定における下りリンク−上りリンクスイッチング周期も示している。
【００４４】
以下では、搬送波集成（ｃａｒｒｉｅｒ  ａｇｇｒｅｇａｔｉｏｎ）技法に関して説明する。図７は、搬送波集成（ｃａｒｒｉｅｒ  ａｇｇｒｅｇａｔｉｏｎ）を説明する概念図である。
【００４５】
搬送波集成は、無線通信システムがより広い周波数帯域を使用するために、端末が上りリンクリソース（又は、コンポーネント搬送波）及び／又は下りリンクリソース（又は、コンポーネント搬送波）で構成された周波数ブロック又は（論理的意味の）セルを複数個用いて一つの大きな論理周波数帯域として使用する方法を意味する。以下では、説明の便宜のために、コンポーネント搬送波という用語に統一するものとする。
【００４６】
図７を参照すると、全体システム帯域（Ｓｙｓｔｅｍ  Ｂａｎｄｗｉｄｔｈ；Ｓｙｓｔｅｍ  ＢＷ）は論理帯域であって、最大１００ＭＨｚの帯域幅を有する。全体システム帯域は、５個のコンポーネント搬送波を含み、それぞれのコンポーネント搬送波は最大２０ＭＨｚの帯域幅を有する。コンポーネント搬送波は、物理的に連続した一つ以上の連続した副搬送波を含む。図７では、それぞれのコンポーネント搬送波がいずれも同一の帯域幅を有するとしたが、これは例示に過ぎず、それぞれのコンポーネント搬送波は、互いに異なる帯域幅を有することもできる。また、それぞれのコンポーネント搬送波は周波数領域で互いに隣接しているとしたが、同図は論理的な概念で図示したものであり、それぞれのコンポーネント搬送波は物理的に互いに隣接していてもよく、離れていてもよい。
【００４７】
中心搬送波（Ｃｅｎｔｅｒ  ｆｒｅｑｕｅｎｃｙ）は、それぞれのコンポーネント搬送波に対して個別に使用してもよく、物理的に隣接したコンポーネント搬送波に対して共通した一つの中心搬送波を使用してもよい。一例として、図７で、全てのコンポーネント搬送波が物理的に隣接していると仮定すれば、中心搬送波Ａを使用することができる。また、それぞれのコンポーネント搬送波が物理的に隣接していない場合を仮定すれば、各コンポーネント搬送波に対してそれぞれ中心搬送波Ａ、中心搬送波Ｂなどを使用することができる。
【００４８】
本明細書で、コンポーネント搬送波は、レガシーシステムのシステム帯域に該当するものとすることができる。コンポーネント搬送波をレガシーシステムを基準に定義することによって、進化した端末とレガシー端末とが共存する無線通信環境で下位互換性（ｂａｃｋｗａｒｄ  ｃｏｍｐａｔｉｂｉｌｉｔｙ）の提供及びシステム設計を容易にすることができる。一例として、ＬＴＥ−Ａシステムが搬送波集成を支援する場合に、それぞれのコンポーネント搬送波はＬＴＥシステムのシステム帯域に該当するものとすることができる。この場合、コンポーネント搬送波は、１．２５、２．５、５、１０又は２０ＭＨｚ帯域幅のいすれかを有することができる。
【００４９】
搬送波集成によって全体システム帯域を拡張した場合に、各端末との通信に使われる周波数帯域はコンポーネント搬送波単位に定義される。端末Ａは、全体システム帯域である１００ＭＨｚを使用することができ、５個のコンポーネント搬送波を全て使用して通信を行う。端末Ｂ1〜Ｂ5は、２０ＭＨｚ帯域幅のみを使用することができ、１個のコンポーネント搬送波を使用して通信を行う。端末Ｃ1及びＣ2は、４０ＭＨｚ帯域幅を使用することができ、それぞれ２個のコンポーネント搬送波を使用して通信を行う。ここで、２個のコンポーネント搬送波は論理／物理的に隣接していてもよく、隣接していなくてもよい。端末Ｃ1は、隣接していない２個のコンポーネント搬送波を使用する場合を表し、端末Ｃ2は、隣接している２個のコンポーネント搬送波を使用する場合を表す。
【００５０】
ＬＴＥシステムの場合、１個の下りリンクコンポーネント搬送波と１個の上りリンクコンポーネント搬送波を使用するのに対し、ＬＴＥ−Ａシステムでは、図７に示すように、複数のコンポーネント搬送波を使用してもよい。このとき、制御チャネルがデータチャネルをスケジューリングする方式は、既存のリンク搬送波スケジューリング（Ｌｉｎｋｅｄ  ｃａｒｒｉｅｒ  ｓｃｈｅｄｕｌｉｎｇ）方式とクロス搬送波スケジューリング（Ｃｒｏｓｓ  ｃａｒｒｉｅｒ  ｓｃｈｅｄｕｌｉｎｇ）方式とに分類することができる。
【００５１】
より具体的に、リンク搬送波スケジューリングは、単一コンポーネント搬送波を用いる既存のＬＴＥシステムのように、特定コンポーネント搬送波で送信される制御チャネルは、該特定コンポーネント搬送波を用いてデータチャネルのみをスケジュールする。
【００５２】
一方、クロス搬送波スケジューリングは、搬送波指示子フィールド（Ｃａｒｒｉｅｒ  Ｉｎｄｉｃａｔｏｒ  Ｆｉｅｌｄ；ＣＩＦ）を用いてプライマリコンポーネント搬送波（Ｐｒｉｍａｒｙ  ＣＣ）で送信される制御チャネルが、該プライマリコンポーネント搬送波で送信される或いは他のコンポーネント搬送波で送信されるデータチャネルをスケジュールする。
【００５３】
以下、ＬＴＥシステムにおいて上りリンク送信電力制御方法に関して説明する。
【００５４】
端末が自身の上りリンク送信電力を制御する方法としては、開ループ電力制御（Ｏｐｅｎ  Ｌｏｏｐ  Ｐｏｗｅｒ  Ｃｏｎｔｒｏｌ；ＯＬＰＣ）と閉ループ電力制御（Ｃｌｏｓｅｄ  Ｌｏｏｐ  Ｐｏｗｅｒ  Ｃｏｎｔｒｏｌ；ＣＬＰＣ））を含む。このうち、前者は、端末の属したセルの基地局からの下りリンク信号減衰を推定し、これを補償する形態で電力制御をするための因子であり、端末から基地局までの距離がより増加して下りリンクの信号減衰が大きいと、上りリンクの送信電力をより高める方式で上りリンク電力を制御する。そして、後者は、基地局から、上りリンク送信電力を調節する上で必要な情報（すなわち、制御信号）を直接伝達する方式で上りリンク電力を制御する。
【００５５】
次の式１は、搬送波集成技法を支援するシステムにおいて、サービングセルｃのサブフレームインデックスｉ上でＰＵＳＣＨとＰＵＣＣＨを同時に送信せずにＰＵＳＣＨのみを送信する場合、端末の送信電力を決定するためのものである。
【００５６】
【数１】
0006640718.tif 000003
【００５７】
次の式２は、搬送波集成技法を支援するシステムにおいて、サービングセルｃのサブフレームインデックスｉでＰＵＣＣＨとＰＵＳＣＨを同時に送信する場合、ＰＵＳＣＨ送信電力を決定するためのものである。
【００５８】
【数２】
0006640718.tif 000004
【００５９】
【数３】
0006640718.tif 000005
【００６０】
再び式１で、ＭＰＵＳＣＨ，ｃ（ｉ）は、サブフレームインデックスｉに対して有効なリソースブロック数で表現されたＰＵＳＣＨリソース割当ての帯域幅を表すパラメータであり、基地局が割り当てる値である。ＰＯ＿ＰＵＳＣＨ，ｃ（ｊ）は、上位層から提供されたセル−特定ノミナルコンポーネント（ｎｏｍｉｎａｌ  ｃｏｍｐｏｎｅｎｔ）ＰＯ＿ＮＯＭＩＮＡＬ＿ＰＵＳＣＨ，ｃ（ｊ）と上位層から提供された端末−特定コンポーネントＰＯ＿ＵＥ＿ＰＵＳＣＨ，ｃ（ｊ）との和で構成されたパラメータであり、基地局が端末に知らせる値である。
【００６１】
【数４】
0006640718.tif 000006
【００６２】
αｃ（ｊ）は、経路損失補償因子（ｐａｔｈｌｏｓｓ  ｃｏｍｐｅｎｓａｔｉｏｎ  ｆａｃｔｏｒ）であり、上位層で提供され、基地局が３ビットで送信するセル−特定パラメータである。ここで、ｊは、０又は１のとき、α∈｛０，０．４，０．５，０．６，０．７，０．８，０．９，１｝であり、ｊは２のとき、αｃ（ｊ）＝１である。αｃ（ｊ）は、基地局が端末に知らせる値である。
【００６３】
経路損失ＰＬｃは、端末がｄＢ単位で計算した下りリンク経路損失（又は、信号損失）推定値であり、ＰＬｃ＝ｒｅｆｅｒｅｎｃｅＳｉｇｎａｌＰｏｗｅｒ−ｈｉｇｈｅｒ  ｌａｙｅｒ  ｆｉｌｔｅｒｅｄＲＳＲＰと表現され、ここで、ｒｅｆｅｒｅｎｃｅＳｉｇｎａｌＰｏｗｅｒは、基地局が上位層で端末に知らせることができる。
【００６４】
【数５】
0006640718.tif 000007
【００６５】
ＫＰＵＳＣＨの値は、ＬＴＥ標準で次のように定義されている。
【００６６】
ＦＤＤ（Ｆｒｅｑｕｅｎｃｙ  Ｄｉｖｉｓｉｏｎ  Ｄｕｐｌｅｘ）に対しては、ＫＰＵＳＣＨの値は４である。ＴＤＤでＫＰＵＳＣＨの値は次の表２のとおりである。
【００６７】
【表２】
0006640718.tif 000008
【００６８】
ＤＲＸ状態の場合以外は、毎サブフレームで端末は、端末のＣ−ＲＮＴＩでＤＣＩフォーマット０／４のＰＤＣＣＨを、又は端末のＴＰＣ−ＰＵＳＣＨ−ＲＮＴＩでＤＣＩフォーマット３／３ＡのＰＤＣＣＨ及びＳＰＳ Ｃ−ＲＮＴＩに対するＤＣＩフォーマットを、デコードしようと試みる。サービングセルｃに対するＤＣＩフォーマット０／４及びＤＣＩフォーマット３／３Ａが同一サブフレームで検出されると、端末は、ＤＣＩフォーマット０／４で提供されるδＰＵＳＣＨ、ｃを用いなければならない。サービングセルｃのためにデコードされるＴＰＣ命令（ｃｏｍｍａｎｄ）がないか、ＤＲＸが発生するか、又はインデックスｉのサブフレームがＴＤＤで上りリンクサブフレームでないサブフレームに対して、δＰＵＳＣＨ、ｃは０ｄＢである。
【００６９】
ＤＣＩフォーマット０／４と共にＰＤＣＣＨ上でシグナルされるδＰＵＳＣＨ、ｃ蓄積値は、次の表３のとおりである。ＤＣＩフォーマット０と同伴するＰＤＣＣＨは、ＳＰＳ ａｃｔｉｖａｔｉｏｎで認証（ｖａｌｉｄａｔｉｏｎ）され、ＰＤＣＣＨをリリース（ｒｅｌｅａｓｅ）すれば、δＰＵＳＣＨ、ｃは、０ｄＢである。ＤＣＩフォーマット３／３Ａと共にＰＤＣＣＨ上でシグナルされるδＰＵＳＣＨ、ｃ蓄積値は、次の表３のＳＥＴ１の一つであるか、上位層で提供されるＴＰＣ−インデックス（ｉｎｄｅｘ）パラメータによって決定される、次の表４のＳＥＴ２の一つである。
【００７０】
【表３】
0006640718.tif 000009
【００７１】
【表４】
0006640718.tif 000010
【００７２】
【数６】
0006640718.tif 000011
【００７３】
次の式３は、ＬＴＥシステムにおけるＰＵＣＣＨに対する上りリンク電力制御関連式できる。
【００７４】
【数７】
0006640718.tif 000012
【００７５】
上記の式３で、ｉは、サブフレームインデックスであり、ｃは、セル（ｃｅｌｌ）インデックスである。端末が２つのアンテナポート上でＰＵＣＣＨを送信するように上位層によって設定されていると、ΔＴｘＤ（Ｆ’）の値は上位層によって端末に提供され、それ以外の場合には０である。以下に説明するパラメータは、セルインデックスｃのサービングセルに関するものである。
【００７６】
ここで、ＰＣＭＡＸ，ｃ（ｉ）は、端末の送信可能な最大電力を表し、Ｐ０＿ＰＵＣＣＨは、セル−特定（ｃｅｌｌ−ｓｐｅｃｉｆｉｃ）パラメータの和で構成されたパラメータであって、基地局が上位層シグナリングで知らせ、ＰＬｃは、端末がｄＢ単位で計算した下りリンク経路損失（又は、信号損失）推定値であり、ＰＬｃ＝ｒｅｆｅｒｅｎｃｅＳｉｇｎａｌＰｏｗｅｒ−ｈｉｇｈｅｒ  ｌａｙｅｒ  ｆｉｌｔｅｒｅｄＲＳＲＰと表現される。ｈ（ｎ）は、ＰＵＣＣＨフォーマットによって異なってくる値であり、ｎＣＱＩは、チャネル品質情報（ＣＱＩ）に対する情報ビットの数であり、ｎＨＡＲＱは、ＨＡＲＱビットの数を表す。ΔＦ＿ＰＵＣＣＨ（Ｆ）値は、ＰＵＣＣＨフォーマット１ａに対して相対的な値であり、ＰＵＣＣＨフォーマット＃Ｆに対応する値で基地局が上位層シグナリングを用いて知らせる値である。ｇ（ｉ）は、インデックスｉサブフレームの現在ＰＵＣＣＨ電力制御調整ステート（ａｄｊｕｓｔｍｅｎｔ  ｓｔａｔｅ）を表す。
【００７７】
【数８】
0006640718.tif 000013
【００７８】
プライマリセルにおける送信最大電力ＰＣＭＡＸ，ｃ（ｉ）に到達すると、プライマリセルに対して正（ｐｏｓｉｔｉｖｅ）のＴＰＣ命令が蓄積されない。一方、端末が最低電力に到達すると、負（ｎｅｇａｔｉｖｅ）のＴＰＣ命令が蓄積されない。端末は、ＰＯ＿ＵＥ＿ＰＵＣＣＨ値が上位層によって変更されたり、ランダムアクセス応答メッセージを受信するとき、蓄積（ａｃｃｕｍｕｌａｔｉｏｎ）をリセットする。
【００７９】
一方、次の表５及び表６は、ＤＣＩフォーマットにおけるＴＰＣ命令フィールドが示すδＰＵＣＣＨ値を表す。特に、表５は、ＤＣＩフォーマット３Ａ以外のＤＣＩで示すδＰＵＣＣＨ値であり、表６は、ＤＣＩフォーマット３Ａで示すδＰＵＣＣＨ値である。
【００８０】
【表５】
0006640718.tif 000014
【００８１】
【表６】
0006640718.tif 000015
【００８２】
次の式４は、ＬＴＥシステムにおけるサウンディング参照信号（ＳＲＳ）の電力制御関連式である。
【００８３】
【数９】
0006640718.tif 000016
【００８４】
上記の式４で、ｉは、サブフレームインデックスであり、ｃは、セル（ｃｅｌｌ）インデックスである。ここで、ＰＣＭＡＸ，ｃ（ｉ）は、端末の送信可能な最大電力を表し、ＰＳＲＳ＿ＯＦＦＳＥＴ，ｃ（ｍ）は上位層で設定される値であり、ｍが０である場合は周期的（ｐｅｒｉｏｄｉｃ）サウンディング参照信号を、ｍが０である場合は非周期的（ａｐｅｒｉｏｄｉｃ）サウンディング参照信号を送信する場合に対応する。ＭＳＲＳ，ｃは、サービングセルｃのサブフレームインデックスｊ上のサウンディング参照信号帯域幅であり、リソースブロックの個数で表現される。
【００８５】
ｆｃ（ｉ）は、サービングセルｃのサブフレームインデックスｉに対して現在ＰＵＳＣＨ電力制御調整状態を示す値であり、ＰＯ＿ＰＵＳＣＨ，ｃ（ｊ）及びαｃ（ｊ）も、上記の式１及び２で説明したとおりである。
【００８６】
以下、サウンディング参照信号について説明する。
【００８７】
【数１０】
0006640718.tif 000017
【００８８】
【数１１】
0006640718.tif 000018
【００８９】
ここで、ｎｃｓＳＲＳは、上位層によって各端末に設定される値であり、０乃至７の整数値を有する。このため、循環遷移値は、ｎｃｓＳＲＳによって８個の値を有することができる。
【００９０】
一つのＣＡＺＡＣシーケンスから循環遷移によって生成されたＣＡＺＡＣシーケンスは、それぞれ、自身とことなる環遷移値を有するシーケンスと零の相関値（ｚｅｒｏ−ｃｏｒｒｅｌａｔｉｏｎ）を有する特性がある。このような特性を用いて、同一周波数領域のサウンディング参照信号をＣＡＺＡＣシーケンス循環遷移値によって区別することができる。各端末のサウンディング参照信号は、基地局で設定するパラメータによって周波数上に割り当てられる。端末は、上りリンクデータ送信帯域幅の全体を通じてサウンディング参照信号を送信できるように、サウンディング参照信号の周波数跳躍を行う。
【００９１】
以下では、ＬＴＥシステムでサウンディング参照信号を送信するための物理リソースをマップする具体的な方法について説明する。
【００９２】
サウンディング参照信号シーケンスｒＳＲＳ（ｎ）は、まず、端末の送信電力ＰＳＲＳを満たすために、振幅スケーリング因子βＳＲＳが掛けられた後、インデックス（ｋ、ｌ）のリソース要素（Ｒｅｓｏｕｒｃｅ  Ｅｌｅｍｅｎｔ；ＲＥ）に、ｒＳＲＳ（０）から順に、下記の式６によってマップされる。
【００９３】
【数１２】
0006640718.tif 000019
【００９４】
ここで、ｋ０は、サウンディング参照信号の周波数領域開始地点を表し、下記の式７のように定義される。
【００９５】
【数１３】
0006640718.tif 000020
【００９６】
ただし、ｎｂは、周波数位置インデックスを表す。また、一般的な上りリンクサブフレームのためのｋ’０は、下記の式８のように定義され、上りリンクパイロットタイムスロット（ＵｐＰＴＳ）のためのｋ’０は、下記の式９のように定義される。
【００９７】
【数１４】
0006640718.tif 000021
【００９８】
【数１５】
0006640718.tif 000022
【００９９】
式８及び式９で、ｋＴＣは、上位層を通して端末にシグナルされる送信コム（ｔｒａｎｓｍｉｓｓｉｏｎ  Ｃｏｍｂ）パラメータであり、０又は１の値を有する。また、ｎｈｆは、第１ハーフフレーム（ｈａｌｆ  ｆｒａｍｅ）の上りリンクパイロットタイムスロットでは０であり、第２ハーフフレームの上りリンクパイロットタイムスロットでは０である。ＭＲＳｓｃ、ｂは、下記の式１０のように定義された、副搬送波単位で表現されたサウンディング参照信号シーケンスの長さ、すなわち、帯域幅である。
【０１００】
【数１６】
0006640718.tif 000023
【０１０１】
式１０で、ｍＳＲＳ，ｂは、上りリンク帯域幅ＮＵＬＲＢによって基地局からシグナルされる値である。
【０１０２】
上りリンクデータ送信帯域幅全体を通じてサウンディング参照信号を送信できるように、端末はサウンディング参照信号の周波数跳躍（ｆｒｅｑｕｅｎｃｙ  ｈｏｐｐｉｎｇ）を行うことができ、このような周波数跳躍は、上位層から与えられた０乃至３の値を有するパラメータｂｈｏｐによって設定される。
【０１０３】
【数１７】
0006640718.tif 000024
【０１０４】
【数１８】
0006640718.tif 000025
【０１０５】
一方、サウンディング参照信号の周波数跳躍が活性化された場合、すなわち、ｂｈｏｐ＜ＢＳＲＳの場合、周波数位置インデックスｎｂは、下記の式１２及び式１３によって定義される。
【０１０６】
【数１９】
0006640718.tif 000026
【０１０７】
【数２０】
0006640718.tif 000027
【０１０８】
ここで、ｎＳＲＳは、サウンディング参照信号を送信した回数を計算するパラメータであり、下記の式１４による。
【０１０９】
【数２１】
0006640718.tif 000028
【０１１０】
式１４で、ＴＳＲＳは、サウンディング参照信号の周期であり、Ｔoffsetは、サウンディング参照信号のサブフレームオフセットを表す。また、ｎｓはスロット番号、ｎｆはフレーム番号を表す。
【０１１１】
サウンディング参照信号の周期ＴＳＲＳとサブフレームオフセットＴoffsetを設定するためのサウンディング参照信号設定インデックス（ＩＳＲＳ）は、ＦＤＤシステムかＴＤＤシステムかによって、下記の表７乃至表１０のように定義される。特に、表７はＦＤＤシステムである場合、表８はＴＤＤシステムである場合を示す。また、下記の表７及び表８は、トリガリングタイプ０、すなわち、周期的ＳＲＳに関する周期とオフセット情報である。
【０１１２】
【表７】
0006640718.tif 000029
【０１１３】
【表８】
0006640718.tif 000030
【０１１４】
下記の表９及び表１０は、トリガリングタイプ１、すなわち、非周期的ＳＲＳに関する周期とオフセット情報である。特に、表９はＦＤＤシステムである場合を、表１０はＴＤＤシステムである場合を示す。
【０１１５】
【表９】
0006640718.tif 000031
【０１１６】
【表１０】
0006640718.tif 000032
【０１１７】
近年、無線通信システムでは、ｅＮＢが全体可用リソースを下りリンクリソースと上りリンクリソースとに分割してデュプレックス動作を行う際、各リソースの用途を下りリンクリソースと上りリンクリソースのいずれか一方として選択する動作をより柔軟に変更する技術に関して議論中である。
【０１１８】
上記の動的リソース用途変換は、下りリンクトラフィックと上りリンクトラフィックの大きさが動的に変化する状況で毎時点に最適のリソース分配を行うことができるという長所がある。例えば、ＦＤＤシステムは、周波数帯域を下りリンクバンドと上りリンクバンドとに分割して運営するが、このような動的リソース用途変換のために、ｅＮＢは、ＲＲＣ層、ＭＡＣ層、或いは物理層の信号を用いて、特定時点で、特定バンドが下りリンクリソースなのか上りリンクリソースなのかを指定することができる。
【０１１９】
特に、ＴＤＤシステムは、全体サブフレームを上りリンクサブフレームと下りリンクサブフレームとに分割し、それぞれＵＥの上りリンク送信とｅＮＢの下りリンク送信に用いる。このようなリソース分割は、一般に、上述した表１の上りリンク／下りリンクサブフレーム設定によってシステム情報の一部として与えることができる。勿論、表１の上りリンク／下りリンクサブフレーム設定の他にも、新しい上りリンク／下りリンクサブフレーム設定がさらに提供されてもよい。ＴＤＤシステムで動的リソース用途変換のために、ｅＮＢは、ＲＲＣ層、ＭＡＣ層、或いは物理層の信号を用いて、特定時点で、特定サブフレームが下りリンクリソースなのか上りリンクリソースなのかを指定することができる。
【０１２０】
既存のＬＴＥシステムで、下りリンクリソースと上りリンクリソースは、システム情報によって指定され、このシステム情報は不特定多数のＵＥに送信されるべき情報であるがため、動的に変換する場合、レガシーＵＥの動作に問題を招くことがあった。このため、動的リソース用途変換に関する情報は、システム情報ではなく、現在ｅＮＢに接続を維持しているＵＥに、新しいシグナリング、特に、端末特定シグナリングを用いて伝達することが好ましい。この新しいシグナリングは、動的に変化したリソースの構成、例えば、ＴＤＤシステムにおいてシステム情報上で指定されたものとは異なる、上りリンク／下りリンクサブフレーム設定情報を指定することもできる。
【０１２１】
さらに、このような新しいシグナリングには、ＨＡＲＱと関連した情報が含まれてもよい。特に、スケジューリングメッセージとこれに相応するＰＤＳＣＨ／ＰＵＳＣＨ送信時点、そしてこれに対するＨＡＲＱ−ＡＣＫ送信時点と定義されるＨＡＲＱタイミングが動的に変化する場合、変化時点の間でＨＡＲＱタイミングが連続しない問題を解決するために、動的にリソース構成が変わっても安定したＨＡＲＱタイミングを維持するためのＨＡＲＱタイミング構成情報を含むことができる。ＴＤＤシステムの場合、このＨＡＲＱタイミング構成情報は、下りリンクＨＡＲＱタイミング及び／又は上りリンクＨＡＲＱタイミングを定義する際に参照する上りリンク／下りリンクサブフレーム設定として表すことができる。
【０１２２】
上述したように、動的にリソース用途が変化するシステムに接続したＵＥは、リソース構成に関する様々な情報を受信する。特に、ＴＤＤシステムの場合、ＵＥは特定時点で次の情報を取得することができる。
【０１２３】
１）システム情報で示す上りリンク／下りリンクサブフレーム設定
２）別のシグナリングを通じて各サブフレームの用途を示す目的で伝達された上りリンク／下りリンクサブフレーム設定
３）下りリンクＨＡＲＱタイミング、すなわち、特定時点で受信したＰＤＳＣＨに対するＨＡＲＱ−ＡＣＫをいつ送信するかを定義するために伝達された上りリンク／下りリンクサブフレーム設定
４）上りリンクＨＡＲＱタイミング、すなわち、特定時点で受信した上りリンクグラントに対するＰＵＳＣＨをいつ送信するか、及び特定時点で送信したＰＵＳＣＨに対するＰＨＩＣＨをいつ受信するかを定義するために伝達された上りリンク／下りリンクサブフレーム設定
【０１２４】
特定ＵＥが動的にリソース用途を変化するｅＮＢに接続すると、当該ｅＮＢは、システム情報を用いて、可能な限り、上りリンクサブフレームの多い上りリンク／下りリンクサブフレーム設定を指定するように動作する場合が多い。これは、システム情報上で下りリンクサブフレームに設定されたサブフレームを上りリンクサブフレームに動的に変化するには制約があるためである。例えば、レガシーＵＥは、システム情報によって下りリンクサブフレームと規定されたサブフレームで常にＣＲＳの送信を期待して測定しているため、これを動的に上りリンクサブフレームに変換すると、レガシーＵＥのＣＲＳ測定に大きな誤りが生じうるためである。このため、ｅＮＢは、システム情報上では上りリンクサブフレームを多く設定するが、下りリンクトラフィックが増加すると、上りリンクサブフレームの一部を下りリンクサブフレームに動的に変化して運営することが好ましい。
【０１２５】
このような原理によって動作するＴＤＤシステムにおいて、ＵＥは、特定時点で、システム情報では上りリンク／下りリンクサブフレーム設定＃０が指定されるが、実際、各サブフレームにおけるリソース用途は上りリンク／下りリンクサブフレーム設定＃１となるように指定されてもよい。
【０１２６】
また、下りリンクＨＡＲＱタイミングの基準は、上りリンク／下りリンクサブフレーム設定＃２になってもよい。これは、上りリンクサブフレームが少なく、下りリンクサブフレームが多い上りリンク／下りリンクサブフレーム設定を下りリンクＨＡＲＱタイミングの基準とし、下りリンクサブフレームが最大となってＨＡＲＱ−ＡＣＫを最も送信し難い状況を作り、これに合わせて下りリンクＨＡＲＱタイミングを運営すると、動的に上りリンク／下りリンクサブフレーム設定を変換してもＨＡＲＱタイミングを持続することができるためである。同一の原理で、上りリンクＨＡＲＱタイミングの基準は、上りリンク／下りリンクサブフレーム設定＃０のように、上りリンクサブフレームが多い上りリンク／下りリンクサブフレーム設定になってもよい。
【０１２７】
一方、上述したとおり、端末の上りリンク送信電力制御では、開ループ電力制御パラメータ（ＯＬＰＣ）と閉ループ電力制御パラメータ（ＣＬＰＣ）を含む。前者は、端末の属したセルの基地局からの下りリンク信号減衰を推定し、それを補償する形態で電力制御をするための因子である。例えば、端末から、該端末が接続している基地局までの距離がより増加して下りリンクの信号減衰が大きいと、上りリンクの送信電力をより高める方式で上りリンク電力を制御する。後者は、基地局から、上りリンク送信電力を調節する上で必要な情報（例えば、制御信号）を直接伝達する方式で上りリンク電力を制御する。
【０１２８】
しかしながら、このような従来の上りリンク電力を制御する方法は、上記の動的にリソース用途を変換するｅＮＢに接続されたＵＥの場合のような状況を考慮しておらず、万一、動的リソース用途変換が適用された上りリンクサブフレームで特定上りリンク送信がなされたが、従来の電力制御方式をそのまま適用したとすれば、隣接セルの下りリンク送信などによって干渉環境が大きく変化する理由などから深刻な上りリンク送信性能の劣化を招くことがある。
【０１２９】
このような理由で、近年、ＬＴＥシステムでは複数個のサブフレームセットを指定し、各サブフレームセット別に異なった電力制御方式を適用する方式を議論中である。複数個のサブフレームセット情報は、ＲＲＣシグナリングのような上位層信号を用いてＵＥに提供されうる。特に、他の用途に用いられているサブフレームセット情報と連動して提供されてもよく、独立してＲＲＣシグナルされてもよい。
【０１３０】
説明の便宜上、以下では、複数個のサブフレームセットが２個シグナルされる状況を仮定し、このとき、２個のサブフレームセットをそれぞれ、サブフレームセット＃１及びサブフレームセット＃２と称する。サブフレームセット＃１及びサブフレームセット＃２は、それぞれ、特定Ｌビットサイズのサブフレームビットマップ形態で定義することができる。特に、サブフレームセット＃１及びサブフレームセット＃２はそれぞれ、静的サブフレーム（Ｓｔａｔｉｃ  ＳＦ）及び動的サブフレーム（Ｆｌｅｘｉｂｌｅ  ＳＦ）に対応してもよい。
【０１３１】
図８は、一つの無線フレームをサブフレームセット＃１とサブフレームセット＃２とに区別した例である。
【０１３２】
図８を参照すると、静的サブフレームとは、動的リソース用途変換が適用されない従来のようなサブフレームを意味することができる。また、動的サブフレームとは、動的リソース用途変換が適用される又は適用されてもよいサブフレームを意味することができる。すなわち、このような動的サブフレームでは、静的サブフレームと違い、ＵＥの上りリンク送信時の干渉環境が大きく変わりうるため、別の上りリンク電力制御方式が適用されるようにすることが好ましい。
【０１３３】
特に、図８では、セルＡ（サービングセル）とセルＢ（隣接セル）がそれぞれシステム情報を用いて上りリンク／下りリンクサブフレーム設定＃０（すなわち、ＤＳＵＵＵＤＳＵＵＵ）を両方とも設定した状態で、セルＢが＃（ｎ＋３）、＃（ｎ＋４）、＃（ｎ＋８）、及び＃（ｎ＋９）のサブフレームを下りリンクサブフレームに用途変更する場合を例示している。
【０１３４】
このような場合、セルＡは、セルＡに属したＵＥに、図８のように、サブフレームセット＃１とサブフレームセット＃２を設定し、各サブフレームセット別に異なった電力制御方式を適用するようにすることができる。すなわち、セル間協調が可能であれば、特定セルが動的リソース用途変換を適用するとき、周辺セルがそれを考慮してサブフレームセットを適切に設定することができ、或いは、事前にセル間に上記のような所定のサブフレームセット設定のみが適用されると規定し、動的リソース用途変換は、特定サブフレームセット（例えば、図８のサブフレームセット＃２）でのみ適用することもできる。
【０１３５】
具体的に、特定サブフレームセット（例えば、サブフレームセット＃１であって、動的サブフレーム）における従来のＰＵＳＣＨ ＰＣが、他の特定サブフレームセット（例えば、サブフレームセット＃１であって、静的サブフレーム）でもそのまま適用されると、サブフレームセット別の大きな干渉環境の差によって性能劣化が発生しうるため、各サブフレームセット別に分離されたＰＵＳＣＨ電力制御プロセスを適用することが好ましい。
【０１３６】
本発明では、特定ＵＥに、上記の複数個のＰＵＳＣＨ電力制御プロセスを設定し得ることと同様に、複数個のＳＲＳ電力制御プロセスを設定することを提案する。特に、特定ＳＲＳ電力制御プロセスと特定ＰＵＳＣＨ電力制御プロセス間の連動関係を設定することもできる。
【０１３７】
例えば、ＰＵＳＣＨ電力制御プロセス＃１はＳＲＳ電力制御プロセス＃１と連動し、ＰＵＳＣＨ電力制御プロセス＃２はＳＲＳ電力制御プロセス＃２と連動するなどの対応関係を設定することができる。ここで、連動するという意味は、ＳＲＳ電力制御プロセスを構成する｛ＰＣＭＡＸ，ｃ（ｉ）、ＰＳＲＳ＿ＯＦＦＳＥＴ，ｃ（ｍ）、ＭＳＲＳ，ｃ、ＰＯ＿ＰＵＳＣＨ，ｃ（ｊ）、αｃ（ｊ）、ＰＬｃ、ｆｃ（ｉ）｝の少なくとも一つのパラメータが、連動しているＰＵＳＣＨ電力制御プロセスの該当のパラメータと同一であるか或いは特定関数によって連動して決定される形態を指すことができる。具体的に、｛ＰＯ＿ＰＵＳＣＨ，ｃ（ｊ）、αｃ（ｊ）、ＰＬｃ、ｆｃ（ｉ）｝を、該当の連動しているＰＵＳＣＨ電力制御プロセスのパラメータと同一に設定／適用することができる。ＰＳＲＳ＿ＯＦＦＳＥＴ，ｃ（ｍ）としては、各ＳＲＳ電力制御プロセス別に独立した値を設定してもよく、一部のＳＲＳ電力制御プロセス間には共通の値を設定してもよい。
【０１３８】
各ＳＲＳ電力制御プロセスは、トリガリングタイプ０、すなわち、周期的ＳＲＳ（ｐｅｒｉｏｄｉｃ  ＳＲＳ；Ｐ−ＳＲＳ）と設定することもでき、トリガリングタイプ１、すなわち、非周期的ＳＲＳ（ａｐｅｒｉｏｄｉｃ  ＳＲＳ；Ａ−ＳＲＳ）と設定することもできる。Ａ−ＳＲＳ設定は、トリガリングビットによって複数個が存在してもよいが、Ａ−ＳＲＳの周期ＴＳＲＳ、１及びサブフレームオフセットＴｏｆｆｓｅｔ、１は、全てのＡ−ＳＲＳ設定に対して共通に適用されるように規定することができる。このように、Ａ−ＳＲＳの周期ＴＳＲＳ、１及びサブフレームオフセットＴｏｆｆｓｅｔ、１によって定義されるサブフレームセットを、Ａ−ＳＲＳサブフレームセットと称する。
【０１３９】
本発明では、このようなＡ−ＳＲＳサブフレームセットが全てのＡ−ＳＲＳ設定に対して共通にＲＲＣシグナリングによって提供される場合だけでなく、それぞれのＡ−ＳＲＳ設定に対してＡ−ＳＲＳサブフレームセット情報が独立して設定されるようにする方式をさらに考慮し、特定Ａ−ＳＲＳがいかなるＳＲＳ電力制御プロセスに従うＡ−ＳＲＳ送信をトリガーしているかに関するＵＥ動作に関する方法を提案する。
【０１４０】
本発明では、ＵＥが上記のサブフレームセット＃１（例えば、上記“静的サブフレーム”）及び上記のサブフレームセット＃２（例えば、上記“動的サブフレーム”）のような特定電力制御サブフレームセット情報を上位層信号から受信した場合を仮定する。このような電力制御サブフレームセット情報と上記Ａ−ＳＲＳサブフレームセット情報は別個の情報として提供されてもよく、或いは、電力制御サブフレームセット＃１はＡ−ＳＲＳサブフレームセット＃０と同一であり、電力制御サブフレームセット＃２はＡ−ＳＲＳサブフレームセット＃１と同一であるというような方式で、電力制御サブフレームセットとＡ−ＳＲＳサブフレームセットとが連動して設定されていてもよい。
【０１４１】
以下では、便宜上、ＵＥに電力制御サブフレームセット＃１と電力制御サブフレームセット＃２の２つの電力制御サブフレームセットが設定される場合について説明するが、本発明では３つ以上の電力制御サブフレームセットが設定されてもよいことは自明である。また、このような２つの電力制御サブフレームセットがそれぞれ上記の静的サブフレームと動的サブフレームに対応してもよいが、このような設定は一例に過ぎず、各電力制御サブフレームセットは任意の独立したサブフレームセットとしてＲＲＣ設定されてもよく、ＵＥは、設定された電力制御サブフレームセットのそれぞれに連動している上りリンク電力制御プロセスに従って該当のサブフレームセットで上りリンク送信（例えば、ＰＵＳＣＨ送信）を行うことができる。
【０１４２】
さらに、上記電力制御サブフレームセット＃１は、必ず常に上りリンクサブフレームが保障される静的サブフレームで設定することができる。一方、電力制御サブフレームセット＃２は、システム情報上に下りリンクサブフレームだったが、上りリンクサブフレームに動的用途変換されてもよいサブフレームだけでなく、システム情報上に上りリンクサブフレームだったが、上位層信号或いは物理層信号によって下りリンクサブフレームとして再設定されてから、特定時間が経ったところで再設定情報によって再び上りリンクサブフレームに変更されてもよいなどの潜在的な動的サブフレームを全て含むサブフレームで設定することができる。
【０１４３】
以下では、本発明が適用される実施例についてより詳しく説明する。
【０１４４】
＜第１実施例＞
本発明の第１実施例では、全てのＡ−ＳＲＳ設定に対して共通にＡ−ＳＲＳサブフレームセット情報が提供される場合に関して説明する。特に、本発明の第１実施例では、次の方案１）又は方案２）に従ってＡ−ＳＲＳ送信を行うことを提案する。
【０１４５】
方案１）暗黙的指示
ｎ番目のサブフレームでＡ−ＳＲＳのトリガリングメッセージを受信した場合、（ｎ＋ｋ）番目のサブフレーム（例えば、ｎ＋４サブフレーム）後に最初にＡ−ＳＲＳサブフレームセットに属するｍ番目のサブフレームでＡ−ＳＲＳを送信するが、ＳＲＳの送信電力は、当該ｍ番目のサブフレームが電力制御サブフレームセット＃１なのか或いは電力制御サブフレームセット＃２なのかによって該当のサブフレームセットに適用される電力制御プロセスを用いてＡ−ＳＲＳを送信するようにする。
【０１４６】
このとき、電力制御サブフレームセット＃１及び電力制御サブフレームセット＃２のそれぞれに対して事前に連動しているＡ−ＳＲＳ電力制御プロセスがＲＲＣ層を通してシグナルされてもよい。或いは、電力制御サブフレームセット＃１及び電力制御サブフレームセット＃２のそれぞれに対して事前に連動している電力制御プロセスは、特定ＰＵＳＣＨ電力制御プロセス情報のみがＲＲＣ層を通して提供され、各ＰＵＳＣＨ電力制御プロセスと特定Ａ−ＳＲＳ電力制御プロセスとがさらに連動する情報が提供される形態でＡ−ＳＲＳ電力制御プロセスが定義されてもよい。
【０１４７】
要するに、当該ｍ番目のサブフレームの属した電力制御サブフレームセットに連動しているＰＵＳＣＨ電力制御プロセスを基に、ここに連動しているＡ−ＳＲＳ電力制御プロセスが適用される。
【０１４８】
方案２）明示上指示
方案１）とは違い、各Ａ−ＳＲＳトリガリングフィールド別に適用される電力制御パラメータ或いは電力制御プロセスインデックスをＲＲＣシグナリングで設定しておくことも考慮することができる。例えば｛ＰＣＭＡＸ，ｃ（ｉ）,、ＰＳＲＳ＿ＯＦＦＳＥＴ，ｃ（ｍ）、ＰＯ＿ＰＵＳＣＨ，ｃ（ｊ）、αｃ（ｊ）｝の少なくとも一つのパラメータが、Ａ−ＳＲＳトリガリングフィールド別に設定されてもよい。この場合、少なくとも一つのパラメータは、特定ＰＵＳＣＨ電力制御プロセスの関連したパラメータと連動する形態で設定されてもよい。
【０１４９】
また、この時のＴＰＣ ｆｃ（ｉ）は、全ての電力制御プロセスにおいて共通の単一ＴＰＣ累積プロセスが適用されてもよく、この場合、単一ＴＰＣ命令によってｆｃ（ｉ）がＡ−ＳＲＳ送信電力決定に適用されるようにする。万一、複数のＴＰＣパラメータが存在し、それぞれが特定電力制御プロセス別に存在するとすれば、Ａ−ＳＲＳトリガリングフィールド別にいかなるＴＰＣパラメータが適用されるべきかもＲＲＣシグナリングによって設定することができる。
【０１５０】
以上のように、各Ａ−ＳＲＳトリガリングフィールド別に電力制御パラメータ或いは電力制御プロセスインデックスが明示的に設定されているため、ｎ番目のサブフレームでＡ−ＳＲＳトリガリングメッセージを受信した場合、（ｎ＋ｋ）番目のサブフレーム（例えば、ｎ＋４サブフレーム）後に最初にＡ−ＳＲＳサブフレームセットに属するｍ番目のサブフレームにＡ−ＳＲＳを送信する。
【０１５１】
このような明示的連動関係シグナリングは、下記の表１１のように定義することができる。特に、下記の表１１は、Ａ−ＳＲＳトリガリングビットが２ビットサイズで構成された場合を例示する。
【０１５２】
【表１１】
0006640718.tif 000033
【０１５３】
上記の表１１のフィールド値‘１０’及び‘１１’のそれぞれに電力制御パラメータセット＃１（すなわち、電力制御サブフレームセット＃１）及び電力制御パラメータセット＃２（すなわち、電力制御サブフレームセット＃２）が記述されている。また、フィールド値‘０１’の場合、方式１）の暗黙的シグナリングが記述されている。表１１では、２ビットサイズのトリガリングフィールドを例示しているが、３ビットサイズ以上のトリガリングフィールドである場合にも類似の形態で一般化して拡張可能である。
【０１５４】
１ビットサイズのトリガリングフィールドを有するＤＣＩでは、下記の表１２又は表１３のようにフィールド値とその属性を定義することができる。
【０１５５】
【表１２】
0006640718.tif 000034
【０１５６】
【表１３】
0006640718.tif 000035
【０１５７】
上記の表１２及び表１３は、２つの異なる形態の実施例を示している。すなわち、フィールド値‘０’は、“ｎｏ ｔｙｐｅ １ ＳＲＳ ｔｒｉｇｇｅｒ”、すなわち、Ａ−ＳＲＳ送信をしないことを示し、ただフィールド値‘１’のみＲＲＣ設定が可能なため、表１２では、方式１）に従うようにＲＲＣ設定が提供される。この場合、ＵＥは、該当のＤＣＩからフィールド値‘１’を受信すると、該当のＡ−ＳＲＳを送信するサブフレームがいかなる電力制御サブフレームセットに属するサブフレームであるかによって、該当の電力制御サブフレームセットに該当するＰＵＳＣＨ用電力制御プロセス或いは電力制御パラメータを適用して送信電力を決定して送信する。
【０１５８】
また、表１３のような形態のフィールド値‘１’を受信すると、該当のＡ−ＳＲＳを送信するサブフレームがいかなる電力制御サブフレームセットに属するか否かにかかわらず、常に電力制御パラメータセット＃１（或いは、電力制御サブフレームセット＃１）を常に適用してＡ−ＳＲＳの送信電力を決定して送信する。表１３で、電力制御パラメータセット＃２をフィールド値‘１’に対するＲＲＣ設定として提供することも可能である。
【０１５９】
他の方式として、上記フィールド値‘１’は、常に、上記の表１１のように２ビット以上のサイズであるトリガリングフィールドの特定フィールド値に従うように定義されてもよい。例えば、表１１のフィールド値‘０１’が自動で上記フィールド値‘１’のＲＲＣ設定と定義されるように規定する。このとき、１ビットサイズのＡ−ＳＲＳトリガリングフィールドを有するＤＣＩと２ビットサイズ以上のＡ−ＳＲＳトリガリングフィールドを有するＤＣＩとの関連付けは、事前に定義されてもよく、ＲＲＣシグナリングによって提供されてもよい。
【０１６０】
一方、特定ＮビットサイズのＳＲＳトリガリングフィールドを有するＤＣＩが複数個存在する場合、これらのＤＣＩ間には、表１１乃至表１３と情報が共通に適用されるようにＲＲＣシグナルされてもよく、各ＤＣＩ別に独立した情報がＲＲＣシグナルされてもよい。或いは、表１１乃至表１３のようなＳＲＳトリガリングフィールドと電力制御プロセスとの関連付けに関するテーブルそのものが複数個設定され、ＤＣＩが端末特定検索領域で検出されるか或いは共通検索領域で検出されるかによって、ＤＣＩが一般的なＰＤＣＣＨで検出されるか或いはデータ領域で受信されるＥＰＤＣＣＨ（Ｅｎｈａｎｃｅｄ  ＰＤＣＣＨ）で受信されるかによって、異なるテーブルが適用されるようにしてもよい。
【０１６１】
一方、表１２及び表１３のように特定フィールド値（例えば、フィールド値‘１’）に対するＲＲＣ設定がＵＥにＲＲＣシグナルされるようにせず、固定的に最も低い（或いは、最も高い）インデックスの電力制御パラメータセットのみを常に用いてＡ−ＳＲＳの電力を決定して送信するように定義されてもよい。例えば、電力制御パラメータセットについてインデックスが０からＮまで与えられた状況で、常に最低のインデックスの電力制御パラメータセットを用いるように定義されると、特定フィールド値が動的にトリガーされる場合、常に電力制御パラメータセット＃１によってＡ−ＳＲＳの電力を決定して送信するようにすることができる。これによれば、ＲＲＣシグナリングオーバーヘッドを低減できるという長所がある。基地局が設定しようとする特定電力制御パラメータセットがあると、それを常に最低（或いは、最高）のインデックスに設定／再設定し、当該フィールド値による動的指示でＡ−ＳＲＳの電力を決定できるわけである。
【０１６２】
＜第２実施例＞
本発明の第２実施例では、Ａ−ＳＲＳ設定のそれぞれに対してＡ−ＳＲＳサブフレームセット情報が独立して提供される場合に関して説明する。特に、本発明の第２実施例では、次の方案３）又は方案４）に従ってＡ−ＳＲＳ送信を行うことを提案する。
【０１６３】
方案３）暗黙的指示
ｎ番目のサブフレームでＡ−ＳＲＳのトリガリングフィールドを受信した場合、（ｎ＋ｋ）番目のサブフレーム（例えば、ｎ＋４サブフレーム）後に、最初に当該Ａ−ＳＲＳのトリガリングフィールドに別に設定されたＡ−ＳＲＳサブフレームセットに属するｍ番目のサブフレームでＡ−ＳＲＳを送信するが、ＳＲＳの送信電力は、当該ｍ番目のサブフレームが電力制御サブフレームセット＃１であるか或いは電力制御サブフレームセット＃２であるかによって、当該サブフレームセットに適用される電力制御プロセスを用いてＡ−ＳＲＳを送信するようにする。
【０１６４】
このとき、上記電力制御サブフレームセット＃１及び電力制御サブフレームセット＃２のそれぞれに対して事前に連動しているＡ−ＳＲＳ電力制御プロセスがＲＲＣ層を介してシグナルされてもよい。或いは、上記電力制御サブフレームセット＃１及び電力制御サブフレームセット＃２のそれぞれに対して事前に連動している電力制御プロセスは、単に特定ＰＵＳＣＨ電力制御プロセス情報のみがＲＲＣ層を介して提供され、各ＰＵＳＣＨ電力制御プロセスと特定Ａ−ＳＲＳ電力制御プロセスとがさらに連動する情報が提供される形態でＡ−ＳＲＳ電力制御プロセスが定義されてもよい。同様に、当該ｍ番目のサブフレームの属した電力制御サブフレームセットに連動しているＰＵＳＣＨ電力制御プロセスを基に、ここに連動しているＡ−ＳＲＳ電力制御プロセスが適用される。
【０１６５】
方案４）明示的指示
方案３）とは違い、各Ａ−ＳＲＳトリガリングフィールド別に適用されるＡ−ＳＲＳサブフレームセット及び電力制御パラメータ（或いは、電力制御プロセスインデックス）をＲＲＣシグナリングで設定しておくことも考慮することができる。例えば｛ＰＣＭＡＸ，ｃ（ｉ）、ＰＳＲＳ＿ＯＦＦＳＥＴ，ｃ（ｍ）、ＰＯ＿ＰＵＳＣＨ，ｃ（ｊ）、αｃ（ｊ）｝の少なくとも一つのパラメータを該当のＡ−ＳＲＳトリガリングフィールド別に設定することができる。この場合、少なくとも一つのパラメータは、特定ＰＵＳＣＨ電力制御プロセスの関連したパラメータと連動する形態で設定されてもよい。また、この時のＴＰＣｆｃ（ｉ）は、全ての電力制御プロセスにおいて共通の単一ＴＰＣ累積プロセスが適用されてもよく、この場合、該当の単一ＴＰＣ命令によってｆｃ（ｉ）が該当のＡ−ＳＲＳ送信電力決定に適用されるようにする。万一、複数のＴＰＣパラメータが存在し、それぞれが特定電力制御プロセス別に存在するとすれば、Ａ−ＳＲＳトリガリングフィールド別にいかなるＴＰＣパラメータが適用されるべきかも、ＲＲＣシグナリングを通じて設定することができる。
【０１６６】
以上のように、各Ａ−ＳＲＳトリガリングフィールド別に電力制御パラメータ或いは電力制御プロセスインデックスが明示的に設定されているため、ｎ番目のサブフレームでＡ−ＳＲＳトリガリングメッセージを受信した場合、（ｎ＋ｋ）番目のサブフレーム（例えば、ｎ＋４サブフレーム）後に最初に当該Ａ−ＳＲＳのトリガリングフィールドに別に設定されたＡ−ＳＲＳサブフレームセットに属するｍ番目のサブフレームにＡ−ＳＲＳを送信する。
【０１６７】
以上で提案した方式の他にも、Ａ−ＳＲＳサブフレーム設定にかかわらず（或いは、Ａ−ＳＲＳサブフレーム設定がない場合などのような特定状況で）、ｎ番目のサブフレームでＡ−ＳＲＳトリガーされた場合、常に、指定された（ｎ＋ｋ’）番目のサブフレーム（ここで、ｋ’は、４であってもよく、事前に定義されてもよい。或いは、動的シグナリング或いは半静的シグナリングによって指定されてもよい。）でＡ−ＳＲＳを送信するが、ＳＲＳの電力制御プロセスのみは、当該（ｎ＋ｋ’）番目のサブフレームが電力制御サブフレームセット＃１であるか又は電力制御サブフレームセット＃２であるかによって、当該サブフレームセットに適用される電力制御プロセスを用いてＡ−ＳＲＳを送信するようにする。
【０１６８】
上記の電力制御サブフレームセット＃１及び電力制御サブフレームセット＃２のそれぞれに対して事前に連動しているＡ−ＳＲＳ電力制御プロセスがＲＲＣによってシグナルされてもよく、或いは、上記の電力制御サブフレームセット＃１及び電力制御サブフレームセット＃２のそれぞれに対して事前に連動している電力制御プロセスは、単に特定ＰＵＳＣＨ電力制御プロセス情報のみがＲＲＣによって提供され、各ＰＵＳＣＨ電力制御プロセスと特定Ａ−ＳＲＳ電力制御プロセスとがさらに連動する情報が提供される形態で特定Ａ−ＳＲＳ電力制御プロセスが定義されてもよい。すなわち、（ｎ＋ｋ’）番目のサブフレームの属した電力制御サブフレームセットに連動しているＰＵＳＣＨ電力制御プロセスを基に、ここに連動しているＡ−ＳＲＳ電力制御プロセスが適用される。
【０１６９】
又は、Ａ−ＳＲＳサブフレーム設定にかかわらず（或いは、Ａ−ＳＲＳサブフレーム設定がない場合などのような特定状況で）、ｎ番目のサブフレームでＡ−ＳＲＳがトリガーされた場合、（ｎ＋ｋ）番目のサブフレーム（例えば、ｎ＋４サブフレーム）後に、最初に電力制御サブフレームセット＃ｐ（ただし、ｐ＝１，２，…のいずれかの値を有するかは、ＲＲＣ設定によって明示されてもよく、特定値に固定されてもよい。）に属するｍ番目のサブフレームでＡ−ＳＲＳを送信すると同時に、ＳＲＳの電力は、当該電力制御サブフレームセット＃ｐの電力制御プロセスによって決定するようにすることができる。このとき、ｐ値のように、何番目の電力制御サブフレームセットに従うかのようなＲＲＣ設定は、個別Ａ−ＳＲＳトリガリングフィールド別に及び／又は特定ＤＣＩ別に設定されてもよく、或いは全てのＡ−ＳＲＳの場合に共通に適用するようにしてもよい。
【０１７０】
また、電力制御サブフレームセット＃１及び電力制御サブフレームセット＃２のそれぞれに対して事前に連動しているＡ−ＳＲＳ電力制御プロセスがＲＲＣによってシグナルされてもよく、或いは電力制御サブフレームセット＃１及び電力制御サブフレームセット＃２のそれぞれに対して事前に連動している電力制御プロセスは、単に特定ＰＵＳＣＨ電力制御プロセス情報のみがＲＲＣシグナリングによって提供され、各ＰＵＳＣＨ電力制御プロセスと特定Ａ−ＳＲＳ電力制御プロセスととがさらに連動する情報が提供される形態で特定Ａ−ＳＲＳ電力制御プロセスが定義されてもよい。すなわち、（ｎ＋ｋ）番目のサブフレームの属した電力制御サブフレームセットに連動しているＰＵＳＣＨ電力制御プロセスを基に、ここに連動されているＡ−ＳＲＳ電力制御プロセスが適用される。
【０１７１】
又は、Ａ−ＳＲＳサブフレーム設定にかかわらず（或いは、Ａ−ＳＲＳサブフレーム設定がない場合などのような特定状況で）、ｎ番目のサブフレームでＡ−ＳＲＳトリガーされた場合、（ｎ＋ｋ）番目のサブフレーム（例えば、ｎ＋４サブフレーム）後に最初に出現する電力制御サブフレームセット＃ｑ（ここで、ｑは、インデックス１，２，…のうち、（ｎ＋ｋ）番目のサブフレーム後に最初に出現する電力制御サブフレームセットによって自動で決定することができる。）に属するｍ番目のサブフレームにＡ−ＳＲＳを送信すると同時に、ＳＲＳの送信電力も電力制御サブフレームセット＃ｑの送信電力制御プロセスによって決定することができる。すなわち、ｑ値は、固定されるものことではなく、（ｎ＋ｋ）番目のサブフレーム後に最初に出現する電力制御サブフレームセットによって決定されるため、Ａ−ＳＲＳのトリガリング時点によって可変する。
【０１７２】
一方、１ビットサイズのＡ−ＳＲＳトリガリングフィールドを含むＤＣＩの場合、当該Ａ−ＳＲＳトリガリングフィールドは一つのフィールド値（例えば、実際にＡ−ＳＲＳがトリガーされるフィールド値‘１’）のみが存在できるので、上記の方式１）のような暗黙的方式が適用されることが好ましい。
【０１７３】
或いは、ＤＣＩ別に一つずつ存在するＡ−ＳＲＳトリガリングフィールドごとに、上記の方式３）又は上記の方式４）のように個別の独立した動作を行うように適用することもできる。すなわち、上記の方式３）又は方式４）は、特定ＤＣＩ内のそれぞれのＡ−ＳＲＳトリガリングフィールド別に適用されてもよく、互いに異なるＤＣＩ別に適用されてもよい。
【０１７４】
勿論、互いに異なるＤＣＩ別に方式３）又は方式４）を適用すると同時に、多重トリガリングフィールドを有するＤＣＩに対しては各フィールド別に方式３）又は方式４）をさらに適用し、ネットワークのＳＲＳ送信電力の柔軟性を増大させる方案も考慮することができる。
【０１７５】
以上の方式によれば、動的リソース用途変換が適用される環境のようにＳＦ別に異なったセル間干渉レベルが存在しうる環境などにおいて、サブフレーム別に異なったレベルのＳＲＳ送信電力制御が適用されるようにすることによって、安定したＳＲＳ受信を可能にさせることができる。
【０１７６】
上述したＡ−ＳＲＳ関連送信電力制御は、周期的ＳＲＳ、すなわち、Ｐ−ＳＲＳにも適用することができ、別の実施例として説明する。
【０１７７】
＜第３実施例＞
まず、本発明の第３実施例では、基地局がＵＥに複数個のＰ−ＳＲＳ設定をＲＲＣシグナリングによって提供すると仮定する。
【０１７８】
この場合、本発明の第３実施例では、各Ｐ−ＳＲＳ設定ごとに特定電力制御プロセスへの連動を設定し、連動した電力制御プロセスにおいて｛ＰＯ＿ＰＵＳＣＨ，ｃ（ｊ）、αｃ（ｊ）、ＰＬｃ、ｆｃ（ｉ）｝のようなパラメータの少なくとも一つと同一に適用／使用したり、或いは該当のパラメータを使用するものの、最終適用される値は、特定関数形態によって一部変形して使用することを提案する。勿論、各Ｐ−ＳＲＳ設定別に独立した電力制御プロセスに従うように設定することもできる。
【０１７９】
すなわち、Ｐ−ＳＲＳ設定に電力制御パラメータセット＃１（すなわち、電力制御サブフレームセット＃１）又は電力制御パラメータセット＃２（すなわち、電力制御サブフレームセット＃２）を選択的に連動させているため、ＵＥが単一Ｐ−ＳＲＳ設定のみを受ける場合には、一つのＰＵＳＣＨ用電力制御パラメータセット＃ｐのみを常に用いてＰ−ＳＲＳの電力を決定して送信するようにしてもよい。
【０１８０】
ここで、一つのＰＵＳＣＨ用電力制御パラメータセット＃ｐとしては最低（或いは、最高）のインデックスの電力制御パラメータセットのみを用いてＰ−ＳＲＳの電力を決定して送信するようにすることができる。例えば、電力制御パラメータセットに対してインデックスが０からＮまで与えられた状況で、常に最低のインデックスの電力制御パラメータセットを用いるように定義されると、常に電力制御パラメータセット＃１によるＰ−ＳＲＳの電力を決定して送信するようにすることができる。この場合、Ｐ−ＳＲＳ設定のＲＲＣシグナリング情報量を減らすことができるという長所がある。
【０１８１】
特徴的なＵＥ動作として、特定サブフレームでＰＵＳＣＨは電力制御サブフレームセット＃１に対応する電力制御パラメータセット＃１を使用するのに対し、同一サブフレームでＳＲＳは電力制御サブフレームセット＃２に対応する電力制御パラメータセット＃２を使用するように動作してもよい。
【０１８２】
各Ｐ−ＳＲＳ設定別に連動可能な特定電力制御プロセス（例えば、特定電力制御サブフレームセット及び電力制御関連パラメータ）だけでなく、及び／又は他のパラメータも、各Ｐ−ＳＲＳ設定別に独立した値に設定することができる。このとき、Ｐ−ＳＲＳ周期ＴＳＲＳはそれ以上セル特定パラメータでなくてもよい。すなわち、ＴＳＲＳは、端末特定パラメータであってもよく、各Ｐ−ＳＲＳ設定別に異なった値にさらに設定されてもよい。このように、周期及び／又はオフセットが互いに異なる２つ以上のＰ−ＳＲＳ設定が設定されているとき、特定サブフレームで特定２つ以上のＰ−ＳＲＳ設定によるＰ−ＳＲＳ送信時点が重なる場合におけるＵＥ動作は、次の方法の少なくとも一つに従うように定められてもよく、該当の方法がＲＲＣシグナリングで設定されてもよい。
【０１８３】
ａ）最も長い周期を有するＰ−ＳＲＳ設定に従うパラメータ及び／又は該当の電力制御プロセスを適用したＰ−ＳＲＳを送信するようにし、他のＰ−ＳＲＳ設定に従うＰ−ＳＲＳ送信は無視する（すなわち、ドロップする）。これは、長い周期を有するＰ−ＳＲＳに最も高い送信優先権を有させることによって、相対的に短い周期を有するＰ−ＳＲＳはドロップして次の送信時点に送信させ、様々なＰ−ＳＲＳ設定に従うＳＲＳ送信を均一に行うことができるという長所がある。
【０１８４】
ｂ）各Ｐ−ＳＲＳ設定ごとにインデックスが与えられているという仮定の下に、最も低い（又は、高い）インデックスを有するＰ−ＳＲＳ設定に従うパラメータ及び／又は該当の電力制御プロセスを適用したＰ−ＳＲＳを送信するようにし、他のＰ−ＳＲＳ設定に従うＰ−ＳＲＳ送信は無視する。
【０１８５】
ｃ）現在サブフレームがいずれかの電力制御サブフレームセットによって、当該電力制御サブフレームセットに連動した特定Ｐ−ＳＲＳ設定パラメータ及び／又は該当の電力制御プロセスを適用したＰ−ＳＲＳを送信するようにし、他のＰ−ＳＲＳ設定に従うＰ−ＳＲＳ送信は無視する。すなわち、この方式によって、現在サブフレームが静的サブフレームか又は動的サブフレームかによって、ＳＲＳ送信が行われるようにすることができる。
【０１８６】
ｄ）常に、事前に定義された（或いは、ＲＲＣシグナリングで設定された）特定電力制御サブフレームセット（例えば、静的サブフレームに該当する電力制御サブフレームセット）に連動している、特定Ｐ−ＳＲＳ設定パラメータ及び／又は該当の電力制御プロセスを適用したＰ−ＳＲＳを送信するようにし、他のＰ−ＳＲＳ設定に従うＰ−ＳＲＳ送信は無視する。
【０１８７】
ｅ）最後に、当該サブフレームにおけるＰ−ＳＲＳ送信は全て無視することも考慮することもできる。ただし、当該サブフレームでＡ−ＳＲＳも送信しなければならない場合なら、Ａ−ＳＲＳは送信することが好ましい。
【０１８８】
上記のａ）乃至ｅ）の方式は混用してもよく、この場合、各方式に対して適用の優先順位を定義することもできる。代表の例示として、ａ）及びｂ）を適用することができる。このとき、ａ）をまず適用するものとし、万一、長い周期を有する複数個のＰ−ＳＲＳ設定がいずれも同一の周期を有すると、そのうち、相対的に低い（或いは、高い）インデックスを有するＰ−ＳＲＳ設定に従うＳＲＳのみを送信し、その他のＰ−ＳＲＳは全てドロップすることができる。
【０１８９】
他の例示として、ｃ）及びｂ）を適用することができる。このとき、ｃ）をまず適用する場合、現在サブフレームが属する特定電力制御サブフレームセットに連動しているＰ−ＳＲＳ設定が２つ以上であれば、そのうち、相対的に低い（或いは、高い）インデックスを有するＰ−ＳＲＳ設定に従うＳＲＳのみを送信し、その他のＰ−ＳＲＳは全てドロップすることもできる。
【０１９０】
他の例示として、ａ）→ｃ）→ｂ）の優先順位で動作することもできる。すなわち、最も長い周期を有するＰ−ＳＲＳ設定が選択されたが、このようなＰ−ＳＲＳ設定が２つ以上であり、また、現在サブフレームの属する特定電力制御サブフレームセットに連動しているＰ−ＳＲＳ設定があると、当該Ｐ−ＳＲＳ設定に従うＳＲＳを送信する。このとき、当該Ｐ−ＳＲＳ設定が複数個あると、そのうち、最も低い（或いは、高い）インデックスを有するＰ−ＳＲＳ設定によってＳＲＳ送信をすることができる。
【０１９１】
逆に、ｃ）→ａ）→ｂ）の順に適用の優先順位が決定されてもよい。この場合、まず、現在サブフレームがいかなる電力制御サブフレームセットに属するかを確認し、この条件に符合するＰ−ＳＲＳ設定が２つ以上であれば、それらのうち、より長い周期を有するＰ−ＳＲＳ設定を確認し、さらに、この条件に符合するＰ−ＳＲＳ設定が２つ以上であると、最も低い（或いは、高い）インデックスを有するＰ−ＳＲＳ設定に従ってＳＲＳ送信をすることもできる。
【０１９２】
＜第４実施例＞
まず、本発明の第４実施例では、基地局がＵＥに一つのＰ−ＳＲＳ設定をＲＲＣシグナリングで提供すると仮定する。
【０１９３】
基地局は、Ｐ−ＳＲＳ設定によってＳＲＳ送信が発生するサブフレームがいずれの電力制御サブフレームセットかによって、該当の電力制御サブフレームセットに事前に連動しておいた特定ＳＲＳ設定パラメータ及び／又は該当の電力制御プロセスによってＰ−ＳＲＳを送信するようにすることができる。すなわち、当該Ｐ−ＳＲＳ設定による現在ＳＲＳ送信ＳＦが静的サブフレームか動的サブフレームかによって互いに異なるＳＲＳ関連パラメータ及び／又は送信電力制御が適用されたＳＲＳ送信が行われるようにすることができる。
【０１９４】
この方式によれば、ＳＲＳの電力制御関連パラメータ｛ＰＣＭＡＸ，ｃ（ｉ）、ＰＳＲＳ＿ＯＦＦＳＥＴ，ｃ（ｍ）、ＭＳＲＳ，ｃ、ＰＯ＿ＰＵＳＣＨ，ｃ（ｊ）、αｃ（ｊ）、ＰＬｃ、ｆｃ（ｉ）｝の少なくとも一つは、ＳＲＳの送信サブフレームがいかなるサブフレームかによって可変してもよい。
【０１９５】
例えば、現在サブフレームが、電力制御サブフレームセットのいずれの電力制御サブフレームセットかによって、当該電力制御サブフレームセットに連動しているパラメータ｛ＰＯ＿ＰＵＳＣＨ，ｃ（ｊ）、αｃ（ｊ）、ＰＬｃ、ｆｃ（ｉ）｝などのパラメータの少なくとも一つと同一に適用／使用するようにしたり、或いは当該パラメータを使用するものの、最終適用される値は、特定関数形態によって一部変形する形態でＰ−ＳＲＳを送信するようにすることができる。
【０１９６】
要するに、Ｐ−ＳＲＳ設定に電力制御のために用いるべき情報は、ＲＲＣシグナリングによって次のいずれかの形態を提供することができる。  ｉ）Ｐ−ＳＲＳが送信されるサブフレームで、ＰＵＳＣＨと関連した電力制御パラメータ
ii）電力制御パラメータセット＃１（すなわち、電力制御サブフレームセット＃１）
iii ）電力制御パラメータセット＃２（すなわち、電力制御サブフレームセット＃２）
勿論、電力制御パラメータセットが２つよりも多く設定される場合には、電力制御パラメータセット＃３などのオプションを追加してもよいことは明らかである。
【０１９７】
以上の実施例で、実際ＳＲＳを送信するサブフレームが動的リソース用途変更によって上りリンクサブフレーム（及び／又は特別サブフレーム）である場合にのみＳＲＳを送信すべきであるという基本的な制限が与えられてもよいことは明らかである。
【０１９８】
以上の実施例で、実際ＳＲＳを送信するサブフレームが動的リソース用途変更によって上りリンクサブフレーム又は特別サブフレームである場合にのみＳＲＳを送信すべきであるという基本的な制限が与えられてもよいことは明らかである。すなわち、本発明では、電力制御サブフレームセットは、特別サブフレームも含むことができ、特別サブフレームと一般上りリンクサブフレームとが混合された形態で指示／設定されてもよい。
【０１９９】
特に、特別サブフレームの場合、上りリンク送信のためのＵｐＰＴＳを含んでいるが、このＵｐＰＴＳ領域ではＰＵＳＣＨを送信せず、ＳＲＳのみを送信することができる。
【０２００】
しかし、本発明によれば、実際にＳＲＳを送信するサブフレームが特別サブフレームだとすれば、実際には特別サブフレームでＰＵＳＣＨを送信できないにもかかわらず、対応するＰＵＳＣＨのための電力制御パラメータセットが存在する。このため、端末は、当該ＰＵＳＣＨのための電力制御パラメータセットを用いてＳＲＳの送信電力を決定することができる。
【０２０１】
＜第５実施例＞
ＴＤＤシステムにおいてＰ−ＳＲＳの最小周期は、上記の表８のように２ｍｓであるが、本発明の第５実施例では、Ｐ−ＳＲＳ設定のより柔軟な活用のために、下記の表１４のように、Ｐ−ＳＲＳ最小周期を１ｍｓとすることを提案する。
【０２０２】
ＳＲＳ送信時点を決定する因子であるＴｏｆｆｓｅｔは、周期が２ｍｓであるときに比べて、下記の表１４のように、より多い値が指定されるはずである。下記の表１４は例示に過ぎないものであり、Ｐ−ＳＲＳ設定の柔軟性を向上し得る変形案はいずれも本発明の思想に含まれるものとして理解しなければならない。
【０２０３】
【表１４】
0006640718.tif 000036
【０２０４】
全体的なネットワーク観点における運営例示として、複数個のＰ−ＳＲＳ設定に従うそれぞれ異なるＳＲＳ電力制御プロセスが適用されるＰ−ＳＲＳを２つ以上周期的に送信するように設定しておいた状態で（例えば、それぞれ静的サブフレーム又は動的サブフレームにおけるＰＵＳＣＨスケジューリングのためのＰ−ＳＲＳ設定）、互いに異なるＰ−ＳＲＳ設定に従うＰ−ＳＲＳ送信から、概略的な基地局への受信電力レベルを、基地局側で把握するようにすることができる。
【０２０５】
このとき、特定Ｐ−ＳＲＳ設定が適用されたＳＲＳの受信感度が、平均予想値よりも特定レベル以上と高くなったり低くなることを感知する場合（又は、より精度の周波数選択的スケジューリングのために）、基地局は、特定電力制御プロセスに従うＡ−ＳＲＳをトリガーし、ＵＥが特定Ａ−ＳＲＳのみを基地局の要請に応じて非周期的に送信するようにすることができる。この方法は、動的リソース用途変更が発生する状況でも円滑な周波数選択的スケジューリング及びリンク適応（ｌｉｎｋ  ａｄａｐｔａｔｉｏｎ）を可能にさせることができる。
【０２０６】
＜第６実施例＞
ＳＲＳが送信されるサブフレームにＰＵＳＣＨも送信されなければならない場合には、ＵＥが同一のサブフレームにＰＵＳＣＨ及びＳＲＳの両方を送信するように設定することができる。この場合、ＰＵＳＣＨとＳＲＳの電力制御プロセスが互いに異なったり、大きい送信電力オフセット値などの理由から、ＰＵＳＣＨとＳＲＳの送信電力値の差が特定レベル以上となる場合におけるＵＥ動作として、次のような方法の少なくとも一つに従うように定めたり、該当の方法をＲＲＣシグナリングで設定することを提案する。
【０２０７】
Ａ）ＵＥは、該当のサブフレームに送信すべきＰＵＳＣＨとＳＲＳの送信電力差が、予め設定された値或いはＲＲＣシグナリングで提供された値以上となる場合、ＰＵＳＣＨ又はＳＲＳのいずれかのみを送信し、残る一つはドロップする。又は、上りリンク制御情報無しでデータ情報であるＰＵＳＣＨのみを送信すべき場合には、このようなＰＵＳＣＨはドロップし、ＳＲＳのみを送信するようにすることができる。一方、上りリンク制御情報と併せてＰＵＳＣＨを送信すべき場合、例えば、ＰＵＣＣＨがＰＵＳＣＨにピギーバック（ｐｉｇｇｙｂａｃｋ）された場合には、ＳＲＳをドロップし、当該ＰＵＳＣＨのみを送信するようにすることができる。
【０２０８】
Ｂ）ＵＥは、特定サブフレームにＰＵＣＣＨとＳＲＳを同時に送信しなければならない場合、両者間の送信電力差が予め設定された値或いはＲＲＣシグナリングで提供された値以上であると、ＰＵＣＣＨ及びＳＲＳのいずれか一つのみを送信し、残る一つはドロップする。
【０２０９】
Ｃ）ＵＥは、特定サブフレームにＰＵＳＣＨ、ＰＵＣＣＨ及びＳＲＳを同時に送信しなければならない場合、当該ＳＲＳとＰＵＳＣＨ又はＰＵＣＣＨとの送信電力差が予め設定された値或いはＲＲＣシグナリングで提供された値以上であると、当該ＳＲＳの送信（又は、ＰＵＳＣＨ及びＰＵＣＣＨ）をドロップし、ＰＵＳＣＨ及びＰＵＣＣＨのみ（又は、ＳＲＳのみ）を送信することができる。
【０２１０】
Ｄ）又は、当該ＳＲＳが特定電力制御サブフレームセット（例えば、静的サブフレーム）に連動している場合にのみ該ＳＲＳを送信し、他の上りリンク送信をドロップすることができる。その逆の場合も適用可能である。
【０２１１】
上記のＡ）乃至Ｄ）の例示で、送信電力差値（及び／又はドロップ自体の情報）を基地局に報告するようにすることもできる。送信電力差値の報告は、当該サブフレームで送信する（或いは、その後、最初の上りリンクグラントによって送信する）ＰＵＳＣＨのデータペイロード内に特定のフォーマットで含まれて送信されるように定義することができる。又は、ＰＵＳＣＨ ＰＨＲ（ｐｏｗｅｒ  ｈｅａｄｒｏｏｍ  ｒｅｐｏｒｔ）に含めたり、これと連動して該当のイベント発生時に併せて報告されるようにしてもよい。又は、別の上りリンク送信フォーマットで報告されてもよい。このような報告は、周期的に別個に行われたり、非周期的に該当のイベント発生時に行われるようにすることができる。
【０２１２】
＜第７実施例＞
本発明の第７実施例では、端末がＰＵＳＣＨを送信しようとするとき、ＰＵＳＣＨがマップされるシンボルの個数を示すＮsymbPUSCH（或いは、ＮsymbPUSCH-initial）を決定する方式に関して説明する。
【０２１３】
図９は、ＰＵＳＣＨがマップされるシンボルの個数を決定する方法を説明する図である。
【０２１４】
図９を参照すると、ＮsymbPUSCH値を決定する際、セル特定のＳＲＳ設定によるＮＳＲＳ値の影響を受ける。このとき、ＵＥがＰＵＳＣＨを送信しようとする現在サブフレームが、ＳＲＳがセル特定に送信されてもよいサブフレームと同一であれば、ＮＳＲＳ＝１と設定することができる。ここで、ＳＲＳがセル特定に送信されてもよいサブフレームは、上位層信号であるＲＲＣシグナリングで与えることができる。
【０２１５】
すなわち、一つの上記セル特定のＳＲＳ設定をセル内のＵＥにＲＲＣシグナリングし、セル内のＵＥは、自身がＰＵＳＣＨを送信しようとするとき、当該ＰＵＳＣＨ送信サブフレームが上記セル特定ＳＲＳサブフレームと重なるか確認し、重なる場合、当該サブフレームの最後のシンボル（すなわち、ＳＲＳを送信可能なシンボル）ではＰＵＳＣＨデータマッピングが行われない形態でレートマッチングを適用する。すなわち、通常、ＵＥの送信するＰＵＳＣＨはサービングセルのｅＮＢに向かうため、サービングセルｅＮＢが一つのセル特定ＳＲＳ設定にのみ基づいて動作するようにした。
【０２１６】
しかしながら、本発明のように、特定ＵＥに複数のＰ−ＳＲＳ設定を適用する場合には、ＵＥ別の複数のＰ−ＳＲＳ設定を全て上記セル特定ＳＲＳサブフレーム設定が反映されるようにすると、上記セル特定ＳＲＳサブフレーム設定が示すサブフレームがあまりにも大きくなりうるという短所がある。すなわち、サブフレームが上記セル特定ＳＲＳサブフレーム設定に含まれる分だけ、ＰＵＳＣＨ送信時の最後のＳＣ−ＦＤＭＡシンボルのレートマッチングが頻繁になり、スループットが低下しうるという問題点がある。これを解消するために、本発明の第７実施例では、ＳＲＳサブフレーム設定をセル特定ではなく端末特定に設定できるようにし、端末特定ＳＲＳサブフレーム設定も特定ＵＥに複数個が設定されるようにする方式を提案する。
【０２１７】
すなわち、ＵＥは、複数個の端末特定ＳＲＳサブフレーム設定を端末特定ＲＲＣシグナリングによって受信することができ、上りリンクグラントによってＰＵＳＣＨを送信する際、それらの中でいずれの端末特定ＳＲＳサブフレーム設定を適用してＰＵＳＣＨレートマッチングを行うべきかに関し、次のような（Ｘ）及び（Ｙ）の方法を考慮することができる。
【０２１８】
（Ｘ）ＵＥが、ＲＲＣ設定された複数の端末特定ＳＲＳサブフレーム設定に対して和集合を取って得たサブフレームでＰＵＳＣＨレートマッチングを行うようにする。
【０２１９】
（Ｙ）該当の上りリンクグラントで特定ＤＣＩを通じて、いかなる端末特定ＳＲＳサブフレーム設定によるサブフレームでＰＵＳＣＨレートマッチングを行うかが動的に指示されるようにしてもよい。このとき、上記（Ｘ）の方式も併せて適用し、ＵＥがＲＲＣ設定された複数の端末特定ＳＲＳサブフレーム設定の全て（或いは、一部）に対して和集合を取って得たサブフレームでＰＵＳＣＨレートマッチングを行うかが動的に指示されてもよい。一部のＳＲＳサブフレーム設定間に和集合を取るようにする部分は、該当のＤＣＩの特定フィールドに対する設定であり、事前にＲＲＣシグナリングで設定されてもよい。
【０２２０】
さらに、基地局で特定ＵＥに複数の端末特定ＳＲＳサブフレーム設定をＲＲＣシグナリングする際には、当該ＵＥに設定されるそれらのＳＲＳサブフレーム設定の全てに対して和集合を取って得たサブフレームが、少なくとも、当該セルにおけるレガシーＵＥが適用するセル特定ＳＲＳサブフレーム設定で指示するサブフレーム集合に含まれるように設定されなければならないという制限を与えることができる。又は、ＵＥが上記のような制限を満たしていないＳＲＳサブフレーム設定を受信した場合にはそれを無視し、レガシーＵＥが適用するのと同じセル特定ＳＲＳサブフレーム設定に従ってＰＵＳＣＨレートマッチングをするようしてもよい。
【０２２１】
図１０は、本発明の一実施例に係る通信装置のブロック構成図である。
【０２２２】
図１０を参照すると、通信装置１０００は、プロセッサ１０１０、メモリ１０２０、ＲＦモジュール１０３０、ディスプレイモジュール１０４０、及びユーザインターフェースモジュール１０５０を備えている。
【０２２３】
同図の通信装置１０００は説明の便宜のために示されたもので、一部のモジュールは省略されてもよい。また、通信装置１０００は必要なモジュールをさらに備えてもよい。また、通信装置１０００において一部のモジュールはより細分化したモジュールに区分されてもよい。プロセッサ１０１０は、図面を参照して例示した本発明の実施例に係る動作を実行するように構成される。具体的に、プロセッサ１０１０の詳細な動作は、図１乃至図９に記載された内容を参照すればよい。
【０２２４】
メモリ１０２０は、プロセッサ１０１０に接続し、オペレーティングシステム、アプリケーション、プログラムコード、データなどを格納する。ＲＦモジュール１０３０は、プロセッサ１０１０に接続し、基底帯域信号を無線信号に変換したり、無線信号を基底帯域信号に変換する機能を果たす。そのために、ＲＦモジュール１０３０は、アナログ変換、増幅、フィルタリング及び周波数アップ変換又はこれらの逆過程を行う。ディスプレイモジュール１０４０は、プロセッサ１０１０に接続し、様々な情報をディスプレイする。ディスプレイモジュール１０４０は、特に制限されるものではなく、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）、ＯＬＥＤ（Ｏｒｇａｎｉｃ  Ｌｉｇｈｔ  Ｅｍｉｔｔｉｎｇ  Ｄｉｏｄｅ）のような周知の要素を用いることができる。ユーザインターフェースモジュール１０５０は、プロセッサ１０１０に接続し、キーパッド、タッチスクリーンなどのような周知のユーザインターフェースの組合せで構成可能である。
【０２２５】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部構成や特徴は、他の実施例に含まれてもよく、他の実施例の対応する構成又は特徴に取り替わってもよい。特許請求の範囲において明示的な引用関係にない請求項を結合して実施例を構成したり、出願後の補正により新しい請求項として含めたりできるということは明らかである。
【０２２６】
本発明に係る実施例は、様々な手段、例えば、ハードウェア、ファームウェア（ｆｉｒｍｗａｒｅ）、ソフトウェア又はそれらの結合などによって具現することができる。ハードウェアによる具現では、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０２２７】
ファームウェアやソフトウェアによる具現では、本発明の一実施例は、以上で説明された機能又は動作を実行するモジュール、手順、関数などの形態で具現されてもよい。ソフトウェアコードは、メモリユニットに記憶され、プロセッサによって駆動可能である。メモリユニットは、プロセッサの内部又は外部に設けられ、公知の様々な手段によってプロセッサとデータを交換することができる。
【０２２８】
本発明は、本発明の特徴から逸脱しない範囲で別の特定の形態に具体化できるということが当業者にとっては自明である。したがって、上記の詳細な説明は、いずれの面においても制限的に解釈してはならず、例示的なものとして考慮しなければならない。本発明の範囲は、添付の請求項の合理的な解釈によって決定すべきであり、本発明の等価的範囲内における変更はいずれも本発明の範囲に含まれる。
【産業上の利用可能性】
【０２２９】
上述したような無線通信システムにおいて上りリンク送信電力を制御する方法及びそのための装置は、３ＧＰＰ ＬＴＥシステムに適用される例を中心に説明したが、３ＧＰＰ ＬＴＥシステム以外の様々な無線通信システムにも適用可能である。
【図１】
0006640718.tif 000037
【図２】
0006640718.tif 000038
【図３】
0006640718.tif 000039
【図４】
0006640718.tif 000040
【図５】
0006640718.tif 000041
【図６】
0006640718.tif 000042
【図７】
0006640718.tif 000043
【図８】
0006640718.tif 000044
【図９】
0006640718.tif 000045
【図１０】
0006640718.tif 000046